(57)【特許請求の範囲】
【請求項１】
等しい幅を有する２つの周波数セグメントに対する動作クラス情報を機器によって伝送する方法であって、該方法は、
第１の動作／サブバンド・トリプレット・シーケンスおよび第２の動作／サブバンド・トリプレット・シーケンスを含む国家フィールド・トリプレットを含むフレームを、該機器によって伝送することを含み、
該第１の動作／サブバンド・トリプレット・シーケンスおよび該第２の動作／サブバンド・トリプレット・シーケンスは、該等しい幅を有する２つの周波数セグメントに対する該動作クラス情報を識別し、
該第１の動作／サブバンド・トリプレット・シーケンスは、該等しい幅を有する２つの周波数セグメントのうちの第１の周波数セグメントの第１の動作モードを識別する第１の動作トリプレットを含み、
該第２の動作／サブバンド・トリプレット・シーケンスは、該等しい幅を有する２つの周波数セグメントのうちの第２の周波数セグメントの第２の動作モードを識別する第２の動作トリプレットを含み、
該第１の動作トリプレットおよび該第２の動作トリプレットの各々は、動作クラス・フィールドを含む、方法。
【請求項２】
前記第１の動作／サブバンド・トリプレット・シーケンスおよび前記第２の動作／サブバンド・トリプレット・シーケンスは、連続したシーケンスである、請求項１に記載の方法。
【請求項３】
前記第１の動作／サブバンド・トリプレット・シーケンスおよび前記第２の動作／サブバンド・トリプレット・シーケンスは、前記フレーム内で伝送される、請求項１に記載の方法。
【請求項４】
前記第１の動作モードは、前記第２の動作モードとは異なる、請求項１に記載の方法。
【請求項５】
前記第１の動作トリプレットのサブフィールドの値は、前記動作クラス情報が、前記等しい幅を有する２つの周波数セグメントに対するものであることを示す、請求項１に記載の方法。
【請求項６】
前記第１の動作トリプレットおよび前記第２の動作トリプレットの各々は、識別子フィールドと、カバレッジ・クラス・フィールドとをさらに含む、請求項１に記載の方法。
【請求項７】
前記識別子フィールドは、２０１以上の整数の値を含む、請求項６に記載の方法。
【請求項８】
前記２つの周波数セグメントは、周波数領域において連続していない、請求項１に記載の方法。
【請求項９】
前記国家フィールド・トリプレットは、前記フレーム内の国家要素に含まれる、請求項１に記載の方法。
【請求項１０】
等しい幅を有する２つの周波数セグメントに対する動作クラス情報を機器によって受信する方法であって、該方法は、
第１の動作／サブバンド・トリプレット・シーケンスおよび第２の動作／サブバンド・トリプレット・シーケンスを含む国家フィールド・トリプレットを含むフレームを該機器によって受信することを含み、
該第１の動作／サブバンド・トリプレット・シーケンスおよび該第２の動作／サブバンド・トリプレット・シーケンスは、該等しい幅を有する２つの周波数セグメントに対する該動作クラス情報を識別し、
該第１の動作／サブバンド・トリプレット・シーケンスは、該等しい幅を有する２つの周波数セグメントのうちの第１の周波数セグメントの第１の動作モードを識別する第１の動作トリプレットを含み、
該第２の動作／サブバンド・トリプレット・シーケンスは、該等しい幅を有する２つの周波数セグメントのうちの第２の周波数セグメントの第２の動作モードを識別する第２の動作トリプレットを含み、
該第１の動作トリプレットおよび該第２の動作トリプレットの各々は、動作クラス・フィールドを含む、方法。
【請求項１１】
動作クラス情報を伝送する装置であって、該装置は、
送受信機と、
該送受信機に動作可能に接続され、第１の動作／サブバンド・トリプレット・シーケンスおよび第２の動作／サブバンド・トリプレット・シーケンスを含む国家フィールド・トリプレットを含むフレームを受信するように構成されたプロセッサと
を含み、
該第１の動作／サブバンド・トリプレット・シーケンスおよび該第２の動作／サブバンド・トリプレット・シーケンスは、等しい幅を有する２つの周波数セグメントに対する動作クラス情報を識別し、
該第１の動作／サブバンド・トリプレット・シーケンスは、該等しい幅を有する２つの周波数セグメントのうちの第１の周波数セグメントの第１の動作モードを識別する第１の動作トリプレットを含み、
該第２の動作／サブバンド・トリプレット・シーケンスは、該等しい幅を有する２つの周波数セグメントのうちの第２の周波数セグメントの第２の動作モードを識別する第２の動作トリプレットを含み、
該第１の動作トリプレットおよび該第２の動作トリプレットの各々は、動作クラス・フィールドを含む、装置。
【請求項１２】
動作クラス情報を受信する装置であって、該装置は、
送受信機と、
該送受信機に動作可能に接続され、第１の動作／サブバンド・トリプレット・シーケンスおよび第２の動作／サブバンド・トリプレット・シーケンスを含む国家フィールド・トリプレットを含むフレームを送信するように構成されたプロセッサと
を含み、
該第１の動作／サブバンド・トリプレット・シーケンスおよび該第２の動作／サブバンド・トリプレット・シーケンスは、等しい幅を有する２つの周波数セグメントに対する動作クラス情報を識別し、
該第１の動作／サブバンド・トリプレット・シーケンスは、該等しい幅を有する２つの周波数セグメントのうちの第１の周波数セグメントの第１の動作モードを識別する第１の動作トリプレットを含み、
該第２の動作／サブバンド・トリプレット・シーケンスは、該等しい幅を有する２つの周波数セグメントのうちの第２の周波数セグメントの第２の動作モードを識別する第２の動作トリプレットを含み、
該第１の動作トリプレットおよび該第２の動作トリプレットの各々は、動作クラス・フィールドを含む、装置。
【発明の詳細な説明】
【技術分野】
【０００１】
以下の説明は、無線通信システムにおいてチャネル伝送電力情報を送受信する方法及び装置に関する。
【背景技術】
【０００２】
無線ＬＡＮ（ｗｉｒｅｌｅｓｓ  ｌｏｃａｌ  ａｒｅａ  ｎｅｔｗｏｒｋ、ＷＬＡＮ）技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは、２．４ＧＨｚまたは５ＧＨｚで非免許帯域（ｕｎｌｉｃｅｎｓｅｄ  ｂａｎｄ）を利用し、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは、２．４ＧＨｚで直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）を適用し、５４Ｍｂｐｓの伝送速度を提供する。ＩＥＥＥ  ８０２．１１ｎは、多重入出力ＯＦＤＭ（Ｍｕｌｔｉｐｌｅ  Ｉｎｐｕｔ  Ｍｕｌｔｉｐｌｅ  Ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの伝送速度を提供する。
【０００３】
ＴＶホワイトスペース（ＴＶ  ｗｈｉｔｅｓｐａｃｅ、ＴＶＷＳ）帯域で非免許機器（ｕｎｌｉｃｅｎｓｅｄ  ｄｅｖｉｃｅ）の動作を規定するための標準が、ＩＥＥＥ  ８０２．１１ａｆ標準である。
【０００４】
ＴＶＷＳは、ブロードキャスト（ｂｒｏａｄｃａｓｔ）ＴＶに割り当てられた周波数で、ＵＨＦ（Ｕｌｔｒａ  Ｈｉｇｈ  Ｆｒｅｑｕｅｎｃｙ）帯域及びＶＨＦ（ｖｅｒｙ  ｈｉｇｈ  ｆｒｅｑｕｅｎｃｙ）帯域を含み、当該周波数帯域で動作する免許機器（ｌｉｃｅｎｓｅｄ  ｄｅｖｉｃｅ）の通信を阻害しないという条件下で非免許機器の使用が許可された周波数帯域を意味する。免許機器の例にはＴＶ、無線マイクなどがある。免許機器は、優先的なユーザー（ｉｎｃｕｍｂｅｎｔ  ｕｓｅｒ）またはプライマリユーザー（ｐｒｉｍａｒｙ  ｕｓｅｒ）と呼ばれることもある。また、ＴＶＷＳを使用する非免許機器同士の共存（ｃｏｅｘｉｓｔｅｎｃｅ）問題を解決するために、共通ビーコンフレーム（ｃｏｍｍｏｎ  ｂｅａｃｏｎ  ｆｒａｍｅ）などのようなシグナリングプロトコル（ｓｉｇｎａｌｉｎｇ  ｐｒｏｔｏｃｏｌ）、周波数センシングメカニズムなどを必要とする場合もある。
【０００５】
５１２〜６０８ＭＨｚ、６１４〜６９８ＭＨｚでは、いくつかの特殊な場合以外は、非免許機器の動作が許容されるが、５４〜６０ＭＨｚ、７６〜８８ＭＨｚ、１７４〜２１６ＭＨｚ、４７０〜５１２ＭＨｚ帯域では、固定された機器（ｆｉｘｅｄ  ｄｅｖｉｃｅ）間の通信しか許容されない。固定された機器とは、定められた位置でのみ信号の伝送を行う機器のことを指す。ＩＥＥＥ  ８０２．１１  ＴＶＷＳ端末は、ＴＶＷＳスペクトルでＩＥＥＥ  ８０２．１１メディアアクセス制御層（ｍｅｄｉａ  ａｃｃｅｓｓ  ｃｏｎｔｒｏｌ、ＭＡＣ）及び物理層（ｐｈｙｓｉｃａｌ  ｌａｙｅｒ、ＰＨＹ）を用いて動作する非免許機器のことを指す。
【０００６】
ＴＶＷＳを使用しようとする非免許機器は、免許機器に対する保護機能を提供しなければならない。そのため、非免許機器は、ＴＶＷＳで信号の伝送を始める前に、免許機器が該当の帯域を占有しているか否かを必ず確認しなければならない。
【０００７】
そのために、非免許機器は、スペクトルセンシングを行って、該当の帯域が免許機器により使用されているか否かを確認することもできる。スペクトルセンシングメカニズム（ｍｅｃｈａｎｉｓｍ）には、エネルギー検出（Ｅｎｅｒｇｙ  Ｄｅｔｅｃｔｉｏｎ）方式、特徴検出（Ｆｅａｔｕｒｅ  Ｄｅｔｅｃｔｉｏｎ）方式などがある。非免許機器は、特定チャネルで受信された信号の強度が一定値以上であるか、またはＤＴＶプリアンブル（Ｐｒｅａｍｂｌｅ）が検出されると、免許機器が特定チャネルを使用中であると判断することができる。そして、現在使用中のチャネルと隣接しているチャネルで免許機器が使用中であると判断されると、非免許機器は伝送電力を下げなければならない。
【０００８】
また、非免許機器は、インターネットあるいは専用網を通じてデータベース（ＤＢ）に接続して、該当の地域で非免許機器が使用可能なチャネルリスト情報を得なければならない。ＤＢは、自身に登録された免許機器の情報、及び当該免許機器の地理的位置及び使用時間によって動的に変化するチャネル使用情報を保存して管理するデータベースである。
【０００９】
本文書における説明において、ホワイトスペース帯域は、上述のＴＶＷＳを含むが、これに限定されるわけではない。本文書でいうホワイトスペース帯域とは、免許機器の動作が優先的に許容され、且つ免許機器の保護が提供される場合にのみ非免許機器の動作が許容される帯域のことを意味する。また、ホワイトスペース機器（Ｗｈｉｔｅ  Ｓｐａｃｅ  Ｄｅｖｉｃｅ）とは、ホワイトスペース帯域で動作する機器のことを指す。例えば、ＩＥＥＥ  ８０２．１１システムに基づく機器もホワイトスペース機器の一例であり、この場合、ホワイトスペース機器はホワイトスペース帯域でＩＥＥＥ  ８０２．１１  ＭＡＣ層及びＰＨＹ層を用いて動作する非免許機器のことを指すことができる。すなわち、ホワイトスペース帯域で動作する８０２．１１標準に従う一般的なＡＰ及び／またはＳＴＡは、非免許機器の一例に相当できる。
【発明の概要】
【発明が解決しようとする課題】
【００１０】
前述したように、ホワイトスペース帯域で動作する非免許機器は、使用可能なチャネルに関する情報を獲得し且つ該情報を用いてホワイトスペース帯域で動作することができる。ここで、使用可能なチャネルに隣接した周波数上に優先的ユーザーのためのチャネルが存在する場合に、非免許機器の動作により優先的ユーザーのチャネルに干渉が起きることがある。そのため、非免許機器の使用可能なチャネルで伝送電力を下げることで優先的ユーザーを保護することができる。すなわち、ホワイトスペースにおける非免許機器の動作による干渉を除去または低減するためには、非免許機器に使用可能なチャネル、及び当該使用可能なチャネルで適用される伝送電力制限（ｔｒａｎｓｍｉｔ  ｐｏｗｅｒ  ｌｉｍｉｔ）値をシグナリングすることが必要である。
【００１１】
そこで、本発明では、ホワイトスペースで動作する非免許機器の使用可能なチャネルに関する伝送電力情報をシグナリングする方案を提供することを技術的課題とする。
【００１２】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【００１３】
上記の技術的課題を解決するために、本発明の一実施例に係る無線通信システムにおいて最大伝送電力情報を伝送する方法は、動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを生成することと、前記生成されたフレームを伝送することと、を含むことができる。
【００１４】
上記の技術的課題を解決するために、本発明の他の実施例に係る無線通信システムにおいて最大伝送電力情報を受信する方法は、動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを受信することと、前記チャネル番号フィールドに該当するチャネルにおいて前記最大伝送電力レベルフィールドに該当する伝送電力で通信を行うことと、を含むことができる。
【００１５】
上記の技術的課題を解決するために、本発明のさらに他の実施例に係る無線通信システムにおいて最大伝送電力情報を伝送する装置は、ステーション（ＳＴＡ）に信号を送信し、前記ステーションから信号を受信する送受信器と、前記送受信器を含む前記装置を制御するプロセッサと、を備えることができる。前記プロセッサは、動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを生成し、該生成されたフレームを前記送受信器を介して伝送するように構成されたものでよい。
【００１６】
上記の技術的課題を解決するために、本発明のさらに他の実施例に係る無線通信システムにおいて最大伝送電力情報を受信する装置は、ステーション（ＳＴＡ）に信号を送信し、前記ステーションから信号を受信する送受信器と、前記送受信器を含む前記装置を制御するプロセッサと、を備えることができる。前記プロセッサは、動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを、前記送受信器を介して受信し、前記チャネル番号フィールドに該当するチャネルにおいて前記最大伝送電力レベルフィールドに該当する伝送電力で通信を行うように構成されたものでよい。
【００１７】
上記の本発明の実施例において以下の事項を共通に適用することができる。
【００１８】
前記一つ以上のチャネルは、一つ以上のチャネルグループを構成し、前記一つ以上のチャネルグループのそれぞれは、複数個の個別チャネルを含み、前記複数個の個別チャネルの少なくとも一部のチャネルは、周波数領域で連続していなくてもよい。
【００１９】
前記フレームは、チャネルグループ識別子フィールドをさらに含むことができる。
【００２０】
前記最大伝送電力フィールドは、同一のチャネルグループに属した個別チャネルに対して同一の値を有したり、または、前記個別チャネル別に独立した値を有することができる。
【００２１】
前記フレームは、チャネルの個数（Ｎｕｍｂｅｒ  ｏｆ  Ｃｈａｎｎｅｌ）フィールドをさらに含むことができる。
【００２２】
前記チャネルの個数フィールドは、チャネルグループに含まれる個別チャネルの個数を示す値を有することができる。
【００２３】
前記動作クラスフィールドは、複数個のチャネルに対して共通に適用されるフィールドとして前記フレームに含まれたり、または、前記一つ以上のチャネルのそれぞれに対して適用されるフィールドとして前記フレームに含まれる。
【００２４】
前記フレームは、チャネル電力識別子（Ｃｈａｎｎｅｌ  Ｐｏｗｅｒ  Ｉｄｅｎｔｉｆｉｅｒ）フィールド、前記動作クラスフィールド、及びカバレッジクラス（Ｃｏｖｅｒａｇｅ  Ｃｌａｓｓ）フィールドで構成される第１のトリプル（Ｔｒｉｐｌｅ）と、前記チャネルグループ識別子フィールド、前記チャネル番号フィールド、及び前記最大伝送電力レベルフィールドで構成される第２のトリプルと、を含み、前記チャネル電力識別子は、前記第１のトリプルを識別する識別子として２０２の値を有し、前記第２のトリプルは、前記チャネルの個数だけ反復されるとよい。
【００２５】
前記フレームは、チャネル電力識別子フィールド、チャネルの個数フィールド、及びカバレッジクラスフィールドで構成される第１のトリプルと、前記動作クラスフィールド、前記チャネル番号フィールド、及び前記最大伝送電力レベルフィールドで構成される第２のトリプルと、を含み、前記チャネル電力識別子は、前記第１のトリプルを識別する識別子として２０２の値を有し、前記第２のトリプルは、前記チャネルの個数だけ反復されるとよい。
【００２６】
前記フレームは、チャネル電力識別子フィールド、前記チャネル番号フィールド、及び前記最大伝送電力レベルフィールドで構成されるトリプルを含み、前記チャネル電力識別子はチャネルグループの識別子であり、２０２乃至２５５のいずれか一つの値を有し、前記トリプルは前記チャネルの個数だけ反復されるとよい。
【００２７】
前記フレームは、チャネル電力識別子フィールド、前記動作クラスフィールド、及びカバレッジクラスフィールドで構成される第１のトリプルと、前記チャネル電力識別子フィールド、前記チャネル番号フィールド、及び前記最大伝送電力レベルフィールドで構成される第２のトリプルと、を含み、前記チャネル電力識別子は、チャネルグループの識別子であり、２０２乃至２５５のいずれか一つの値を有し、前記第１及び第２のトリプルは、前記チャネルの個数だけ反復されるとよい。
【００２８】
本発明について上述した一般的な説明と後述する詳細な説明はいずれも例示的なもので、請求項記載の発明のさらなる説明を提供するためのものである。
例えば、本願発明は以下の項目を提供する。
（項目１）
無線通信システムにおいて最大伝送電力情報を伝送する方法であって、
動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを生成することと、
前記生成されたフレームを伝送することと、
を含む、最大伝送電力情報伝送方法。
（項目２）
前記一つ以上のチャネルは、一つ以上のチャネルグループを構成し、
前記一つ以上のチャネルグループのそれぞれは、複数個の個別チャネルを含み、
前記複数個の個別チャネルの少なくとも一部のチャネルは、周波数領域で連続していない、項目１に記載の最大伝送電力情報伝送方法。
（項目３）
前記フレームは、チャネルグループ識別子フィールドをさらに含む、項目１に記載の最大伝送電力情報伝送方法。
（項目４）
前記最大伝送電力フィールドは、
同一のチャネルグループに属した個別チャネルに対して同一の値を有したり、または、前記個別チャネル別に独立した値を有する、項目１に記載の最大伝送電力情報伝送方法。
（項目５）
前記フレームは、チャネルの個数（Ｎｕｍｂｅｒ  ｏｆ  Ｃｈａｎｎｅｌ）フィールドをさらに含む、項目１に記載の最大伝送電力情報伝送方法。
（項目６）
前記チャネルの個数フィールドは、チャネルグループに含まれる個別チャネルの個数を示す値を有する、項目５に記載の最大伝送電力情報伝送方法。
（項目７）
前記動作クラスフィールドは、
複数個のチャネルに対して共通に適用されるフィールドとして前記フレームに含まれたり、または、
前記一つ以上のチャネルのそれぞれに対して適用されるフィールドとして前記フレームに含まれる、項目１に記載の最大伝送電力情報伝送方法。
（項目８）
前記フレームは、
チャネル電力識別子（Ｃｈａｎｎｅｌ  Ｐｏｗｅｒ  Ｉｄｅｎｔｉｆｉｅｒ）フィールド、前記動作クラスフィールド、及びカバレッジクラス（Ｃｏｖｅｒａｇｅ  Ｃｌａｓｓ）フィールドで構成される第１のトリプル（Ｔｒｉｐｌｅ）と、
前記チャネルグループ識別子フィールド、前記チャネル番号フィールド、及び前記最大伝送電力レベルフィールドで構成される第２のトリプルと、を含み、
前記チャネル電力識別子は、前記第１のトリプルを識別する識別子として２０２の値を有し、
前記第２のトリプルは、前記チャネルの個数だけ反復される、項目１に記載の最大伝送電力情報伝送方法。
（項目９）
前記フレームは、
チャネル電力識別子フィールド、チャネルの個数フィールド、及びカバレッジクラスフィールドで構成される第１のトリプルと、
前記動作クラスフィールド、前記チャネル番号フィールド、及び前記最大伝送電力レベルフィールドで構成される第２のトリプルと、を含み、
前記チャネル電力識別子は、前記第１のトリプルを識別する識別子として２０２の値を有し、
前記第２のトリプルは、前記チャネルの個数だけ反復される、項目１に記載の最大伝送電力情報伝送方法。
（項目１０）
前記フレームは、
チャネル電力識別子フィールド、前記チャネル番号フィールド及び前記最大伝送電力レベルフィールドで構成されるトリプルを含み、
前記チャネル電力識別子は、チャネルグループの識別子であり、２０２乃至２５５のいずれか一つの値を有し、
前記トリプルは、前記チャネルの個数だけ反復される、項目１に記載の最大伝送電力情報伝送方法。
（項目１１）
前記フレームは、
チャネル電力識別子フィールド、前記動作クラスフィールド、及びカバレッジクラスフィールドで構成される第１のトリプルと、
前記チャネル電力識別子フィールド、前記チャネル番号フィールド、及び前記最大伝送電力レベルフィールドで構成される第２のトリプルと、を含み、
前記チャネル電力識別子は、チャネルグループの識別子であり、２０２乃至２５５のいずれか一つの値を有し、
前記第１及び第２のトリプルは、前記チャネルの個数だけ反復される、項目１に記載の最大伝送電力情報伝送方法。
（項目１２）
無線通信システムにおいて最大伝送電力情報を受信する方法であって、
動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを受信することと、
前記チャネル番号フィールドに該当するチャネルにおいて前記最大伝送電力レベルフィールドに該当する伝送電力で通信を行うことと、
を含む、最大伝送電力情報受信方法。
（項目１３）
無線通信システムにおいて最大伝送電力情報を伝送する装置であって、
ステーション（ＳＴＡ）に信号を送信し、前記ステーションから信号を受信する送受信器と、
前記送受信器を含む前記装置を制御するプロセッサと、を備え、
前記プロセッサは、
動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを生成し、
前記生成されたフレームを前記送受信器を介して伝送するように構成された、最大伝送電力情報伝送装置。
（項目１４）
無線通信システムにおいて最大伝送電力情報を受信する装置であって、
ステーション（ＳＴＡ）に信号を送信し、前記ステーションから信号を受信する送受信器と、
前記送受信器を含む前記装置を制御するプロセッサと、を備え、
前記プロセッサは、
動作クラス（Ｏｐｅｒａｔｉｎｇ  Ｃｌａｓｓ）フィールド、一つ以上のチャネルのそれぞれに対するチャネル番号（Ｃｈａｎｎｅｌ  Ｎｕｍｂｅｒ）フィールド、及び前記一つ以上のチャネルのそれぞれに適用される最大伝送電力レベル（Ｍａｘｉｍｕｍ  Ｔｒａｎｓｍｉｔ  Ｐｏｗｅｒ  Ｌｅｖｅｌ）フィールドを含むフレームを前記送受信器を介して受信し、
前記チャネル番号フィールドに該当するチャネルにおいて前記最大伝送電力レベルフィールドに該当する伝送電力で通信を行うように構成された、最大伝送電力情報受信装置。
【発明の効果】
【００２９】
本発明によれば、ホワイトスペースで動作する非免許機器の使用可能なチャネルに関する伝送電力情報をシグナリングする方法及び装置を提供することができる。
【００３０】
本発明から得られる効果は、以上に言及した効果に制限されず、言及していない他の効果は、下の記載から、本発明の属する技術の分野における通常の知識を有する者には明確に理解されるであろう。
【図面の簡単な説明】
【００３１】
本明細書に添付している図面は、本発明に関する理解を提供するためのもので、本発明の様々な実施の形態を示し、明細書の記載と共に本発明の原理を説明するためのものである。
【図１】無線ＬＡＮシステムの構成の一例を示す図である。
【図２】無線ＬＡＮシステムの構成の他の例を示す図である。
【図３】能動的スキャニングを概略的に示す図である。
【図４】受動的スキャニングを概略的に示す図である。
【図５】ＳＴＡの活性化過程を示す図である。
【図６】ホワイトスペース機器へのチャネル帯域幅割当の様々な例を示す図である。
【図７】ホワイトスペースでのチャネル割当の一例を示す図である。
【図８】ホワイトスペースでのチャネル割当の他の例を示す図である。
【図９】電力制限情報要素のフォーマットの例を示す図である。
【図１０】拡張された伝送電力制限情報要素のフォーマットを示す図である。
【図１１】国家情報要素のフォーマットを例示する図である。
【図１２】国家情報要素のフォーマットを例示する図である。
【図１３】不連続的なチャネルの構成を例示する図である。
【図１４】本発明が適用されるチャネル電力情報要素のフォーマットを例示する図である。
【図１５】本発明の一実施例に係る最大伝送電力情報送受信方法を示す図である。
【図１６】本発明の一実施例に係る無線装置の構成を示すブロック図である。
【発明を実施するための形態】
【００３２】
以下、本発明に係る好適な実施の形態を、添付の図面を参照して詳細に説明する。添付の図面と共に以下に開示される詳細な説明は、本発明の例示的な実施の形態を説明するためのもので、本発明が実施されうる唯一の実施の形態を示すものではない。以下の詳細な説明は、本発明の完全な理解を提供するために具体的な細部事項を含む。ただし、このような具体的な細部事項なしにも本発明を実施できるということが当業者には理解される。
【００３３】
一方、場合によっては、本発明の概念が曖昧になることを避けるために、公知の構造及び装置を省略したり、各構造及び装置の核心機能を中心にしたブロック図の形式で示す。また、本明細書全体を通じて同一の構成要素には同一の図面符号を付けて説明する。
【００３４】
まず、無線ＬＡＮシステムの一般的な構成について、図１及び図２を参照して説明する。
【００３５】
図１は、無線ＬＡＮシステムの構成の一例を示す図である。
【００３６】
図１に示すように、無線ＬＡＮシステムは、一つ以上の基本サービスセット（Ｂａｓｉｃ  Ｓｅｒｖｉｃｅ  Ｓｅｔ、ＢＳＳ）を含む。ＢＳＳは、成功的に同期を取って互いに通信できるステーション（Ｓｔａｔｉｏｎ、ＳＴＡ）の集合である。
【００３７】
ＳＴＡは、媒体アクセス制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースを含む論理個体で、アクセスポイント（ａｃｃｅｓｓ  ｐｏｉｎｔ、ＡＰ）と非ＡＰ  ＳＴＡ（Ｎｏｎ−ＡＰ  Ｓｔａｔｉｏｎ）を含む。ＳＴＡのうち、ユーザーが操作する携帯用端末はＮｏｎ−ＡＰ  ＳＴＡであり、単にＳＴＡといわれる時はＮｏｎ−ＡＰ  ＳＴＡを指すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザー装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、携帯用端末（Ｍｏｂｉｌｅ  Ｔｅｒｍｉｎａｌ）、または移動加入者ユニット（Ｍｏｂｉｌｅ  Ｓｕｂｓｃｒｉｂｅｒ  Ｕｎｉｔ）などの他の名称と呼ばれることもある。
【００３８】
そして、ＡＰは、自身に結合したＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ、ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、またはサイト制御器などと呼ばれることもある。
【００３９】
ＢＳＳは、インフラストラクチャー（ｉｎｆｒａｓｔｒｕｃｔｕｒｅ）ＢＳＳと独立的な（Ｉｎｄｅｐｅｎｄｅｎｔ）ＢＳＳ（ＩＢＳＳ）とに区別することができる。
【００４０】
図１に示すＢＳＳは、ＩＢＳＳである。ＩＢＳＳは、ＡＰを含まないＢＳＳを意味し、ＡＰを含まないから、ＤＳへの接続が許容されず、自分完備的なネットワーク（ｓｅｌｆ−ｃｏｎｔａｉｎｅｄ  ｎｅｔｗｏｒｋ）をなす。
【００４１】
図２は、無線ＬＡＮシステムの構成の他の例を示す図である。
【００４２】
図２に示すＢＳＳは、インフラストラクチャーＢＳＳである。インフラストラクチャーＢＳＳは、一つ以上のＳＴＡ及びＡＰを含む。インフラストラクチャーＢＳＳにおいて非ＡＰ  ＳＴＡ同士間の通信は、ＡＰを経由するのが原則であるが、非ＡＰ  ＳＴＡ同士間に直接リンク（ｌｉｎｋ）が設定された場合には、非ＡＰ  ＳＴＡ同士の直接通信も可能である。
【００４３】
図２に示すように、複数のインフラストラクチャーＢＳＳは、ＤＳを介して相互接続することができる。ＤＳを介して接続された複数のＢＳＳを、拡張サービスセット（Ｅｘｔｅｎｄｅｄ  Ｓｅｒｖｉｃｅ  Ｓｅｔ、ＥＳＳ）という。ＥＳＳに含まれるＳＴＡは互いに通信することができ、同じＥＳＳ内で非ＡＰ  ＳＴＡはシームレスに通信しながら一つのＢＳＳから他のＢＳＳへ移動することができる。
【００４４】
ＤＳは、複数のＡＰを接続させるメカニズムであり、必ずしもネットワークである必要はなく、所定の分配サービスを提供できるものであれば、その形態に何ら制限はない。例えば、ＤＳは、メッシュ（ｍｅｓｈ）ネットワークのような無線ネットワークでもよく、ＡＰを互いに接続させる物理的な構造物でもよい。
【００４５】
免許機器により使用されないスペクトルをホワイトスペース（ｗｈｉｔｅｓｐａｃｅ）といい、これは非免許機器により使用されることが可能である。ホワイトスペーススペクトルでＳＴＡが動作するためには、免許機器（ｉｎｃｕｍｂｅｎｔ  ｕｓｅｒ）に対する保護技法を優先的に提供する必要がある。ＳＴＡまたはＡＰが免許機器を保護するためには、免許機器により使用されていないチャネルのみを使用しなければならない。免許機器により使用されておらず、非免許機器が使用できるチャネルを、可用チャネル（ａｖａｉｌａｂｌｅ  ｃｈａｎｎｅｌ）という。ＳＴＡまたはＡＰがＴＶチャネルの可用性（ａｖａｉｌａｂｉｌｉｔｙ）を把握する最も基本的な方法には、スペクトルセンシング（ｓｐｅｃｔｒｕｍ  ｓｅｎｓｉｎｇ）、及びデータベース（Ｄａｔａｂａｓｅ、ＤＢ）に接続してＴＶチャネルスケジュールを知る方法がある。ＤＢの情報は、特定位置における、免許機器の特定チャネルの使用スケジュールなどの情報を含む。そのため、ＴＶチャネルの使用が可能か否かを把握したいＳＴＡまたはＡＰは、インターネットを介してＤＢに接続して、自身の位置情報に基づくＤＢ情報を得なければならない。
【００４６】
ＳＴＡがネットワークに接続するためには、参入可能なネットワークを見出さなければならない。ＳＴＡは、無線ネットワークに参入する前に、互換可能なネットワークを識別しなければならないが、特定領域に存在するネットワーク識別過程をスキャニング（ｓｃａｎｎｉｎｇ）という。
【００４７】
スキャニング方式には、能動的スキャニング（ａｃｔｉｖｅ  ｓｃａｎｎｉｎｇ）と受動的スキャニング（ｐａｓｓｉｖｅ  ｓｃａｎｎｉｎｇ）がある。
【００４８】
図３は、能動的スキャニングを概略的に示す図である。
【００４９】
能動的スキャニングにおいて、スキャニングを行うＳＴＡはチャネルを移動しながら、周辺にどのようなＡＰが存在するか探索するためにプローブ要請フレーム（ｐｒｏｂｅ  ｒｅｑｕｅｓｔ  ｆｒａｍｅ）を伝送し、これに対する応答を待つ。応答者（ｒｅｓｐｏｎｄｅｒ）は、プローブ要請フレームを伝送したＳＴＡに、プローブ要請フレームに対する応答としてプローブ応答フレーム（ｐｒｏｂｅ  ｒｅｓｐｏｎｓｅ  ｆｒａｍｅ）を伝送する。ここで、応答者は、スキャニングされているチャネルのＢＳＳにおいて最後にビーコンフレーム（ｂｅａｃｏｎ  ｆｒａｍｅ）を伝送したＳＴＡである。インフラストラクチャーＢＳＳでは、ＡＰがビーコンフレームを伝送するので、ＡＰが応答者になり、ＩＢＳＳでは、ＩＢＳＳ内のＳＴＡが順番にビーコンフレームを伝送するので、応答者が一定でない。
【００５０】
図３を参照すると、スキャニングＳＴＡ（３００）がプローブ要請フレーム（３０５）を伝送すると、プローブ要請フレームを受信したＢＳＳ１の応答者１（３１０）とＢＳＳ２の応答者２（３２０）はそれぞれプローブ応答フレーム１（３１５）とプローブ応答フレーム２（３２５）をスキャニングＳＴＡ（３００）に伝送する。プローブ応答フレームを受信したスキャニングＳＴＡ（３００）は、受信したプローブ応答フレームに含まれたＢＳＳ関連情報を保存し、次のチャネルに移動して同様の方法で次のチャネルでスキャニングを行う。
【００５１】
図４は、受動的スキャニングを概略的に示す図である。
【００５２】
受動的スキャニングにおいて、スキャニングを行うＳＴＡは、チャネルを移動しながらビーコンフレームを待つ。ビーコンフレームは、ＩＥＥＥ  ８０２．１１における管理フレーム（ｍａｎａｇｅｍｅｎｔ  ｆｒａｍｅ）の一つで、無線ネットワークの存在を知らせ、スキャニングを行うＳＴＡが無線ネットワークを探して無線ネットワークに参入できるように、周期的に伝送される。インフラストラクチャーＢＢＳでは、ＡＰがビーコンフレームを周期的に伝送する役割を担う。
【００５３】
スキャニングを行うＳＴＡは、ビーコンフレームを受信すると、ビーコンフレームに含まれたＢＳＳに関する情報を保存し、他のチャネルに移動しながら各チャネルでビーコンフレーム情報を記録する。
【００５４】
図４で、特定チャネルにおいて受動的スキャニング方式でチャネルスキャニングを行っているスキャニングＳＴＡ（４００）が、ＢＳＳ１のＡＰ１（４１０）が伝送するビーコンフレーム１（４１５）とＢＳＳ２のＡＰ２（４２０）が伝送するビーコンフレーム２（４２５）を受信し、ＢＳＳ３のＡＰ３（４３０）が伝送するビーコンフレーム３（４３５）は受信できなかったとすれば、スキャニングＳＴＡ（４００）は、測定チャネルに２個のＢＳＳ（ＢＳＳ１、ＢＳＳ２）が発見されたことを保存し、他のチャネルに移動する。
【００５５】
能動的スキャニングと受動的スキャニングとを対比すると、能動的スキャニングが受動的スキャニング比べてディレイ（ｄｅｌａｙ）及び電力消耗が小さいという利点がある。
【００５６】
次に、ホワイトスペース帯域で動作するためにＳＴＡが活性化（ｅｎａｂｌｅｍｅｎｔ）される過程を説明する。
【００５７】
ホワイトスペース帯域で動作する非免許機器は、活性化（Ｅｎａｂｌｉｎｇ）ＳＴＡと依存的（Ｄｅｐｅｎｄｅｎｔ）ＳＴＡとに分類することができる。活性化ＳＴＡは、依存的ＳＴＡを活性化させることができるＳＴＡで、活性化信号（ｅｎａｂｌｉｎｇ  ｓｉｇｎａｌ）を受信しなくても信号を伝送することができ、ネットワークを開始（ｉｎｉｔｉａｔｉｏｎ）することができる。
【００５８】
活性化ＳＴＡ（Ｅｎａｂｌｉｎｇ  ＳＴＡ）は、データベース（ｄａｔａｂａｓｅ、ＤＢ）に地理的な位置（ｇｅｏ−ｌｏｃａｔｉｏｎ）情報を提供し、当該地理的位置で使用可能な可用チャネル情報をＤＢから獲得することができる。活性化ＳＴＡは、ＷＬＡＮ  ＳＴＡに限定されず、活性化に関連したサービスを提供できる論理的個体またはネットワークサーバー（ｓｅｒｖｅｒ）でもよい。
【００５９】
依存的ＳＴＡ（Ｄｅｐｅｎｄｅｎｔ  ＳＴＡ）は、活性化信号を受信してこそ信号を伝送できるＳＴＡで、活性化ＳＴＡにより制御される。依存的ＳＴＡは、必ず活性化ＳＴＡにより活性化されるもので、独立して活性化されることは不可能である。
【００６０】
図５は、ＳＴＡの活性化過程の一例を示す図である。
【００６１】
ＩＥＥＥ  ８０２．１１ｙは、３．５ＧＨｚ帯域で非免許機器の動作のために作られた標準であり、活性化過程を記述しており、活性化過程を動的ＳＴＡ活性化（Ｄｙｎａｍｉｃ  ＳＴＡ  Ｅｎａｂｌｅｍｅｎｔ、ＤＳＥ）と呼んでいる。依存的ＳＴＡが活性化ＳＴＡにより活性化される過程は、ＩＥＥＥ  ８０２．１１ｙの動的ＳＴＡ活性化と類似の過程に従えばよい。実際にホワイトスペースで適用される活性化過程は、ＤＳＥ過程と一致するわけではないが、基本的に、活性化信号を受信してこそ、依存的ＳＴＡが該当の帯域／チャネルに信号を伝送できるという点では同一である。
【００６２】
図５に示すように、活性化ＳＴＡは、活性化信号を含むビーコン（Ｂｅａｃｏｎ）またはプローブ応答フレーム（Ｐｒｏｂｅ  Ｒｅｓｐｏｎｓｅ  ｆｒａｍｅ）を、依存的ＳＴＡに伝送することができる（Ｓ５１０）。活性化が可能である旨を知らせる信号を活性化信号（ｅｎａｂｌｉｎｇ  ｓｉｇｎａｌ）というが、図５の例示では、活性化信号要素が含まれたビーコンまたはプローブ応答フレームが活性化信号に相当する。活性化信号を受信してデコーディングした依存的ＳＴＡは、該信号を受信したチャネルを用いて活性化要請フレーム（Ｅｎａｂｌｅｍｅｎｔ  Ｒｅｑｕｅｓｔ  Ｆｒａｍｅ）を活性化ＳＴＡに伝送し（Ｓ５２０）、活性化ＳＴＡから活性化応答フレーム（Ｅｎａｂｌｅｍｅｎｔ  Ｒｅｓｐｏｎｓｅ  Ｆｒａｍｅ）を受信する（Ｓ５３０）。
【００６３】
（可用チャネル情報の構）
ホワイトスペースにおいて優先的ユーザー（ｉｎｃｕｍｂｅｎｔ  ｕｓｅｒ）でない非免許機器が動作するために、該非免許機器は、優先的ユーザーを保護するために、特定位置で優先的ユーザーに干渉を与えないチャネル、すなわち、可用チャネル情報を獲得し、これに基づいて動作することができる。可用チャネル情報は、使用可能な一つ以上のチャネルの集合である可用チャネルリストを含むことができる。
【００６４】
上述したように、活性化ＳＴＡがＤＢから獲得する可用チャネル情報及び／または依存的ＳＴＡが活性化ＳＴＡから獲得する可用チャネル情報（または、可用チャネルリスト）は、ホワイトスペースマップ（Ｗｈｉｔｅ  Ｓｐａｃｅ  Ｍａｐ；ＷＳＭ）の形態で提供されるとよい。可用チャネルリスト（ＷＳＭ）は、図５のような例示に従ってＳＴＡ間に送受信されてもよく、または、チャネル可用性問い合わせ（Ｃｈａｎｎｅｌ  Ａｖａｉｌａｂｉｌｉｔｙ  Ｑｕｅｒｙ；ＣＡＱ）要請／応答などを通じて提供されてもよい。
【００６５】
ホワイトスペースで動作するＡＰ及び／またはＳＴＡが使用できるチャネルは、ＷＳＭから決定すれば良いが、当該ＡＰ及び／またはＳＴＡが他のユーザーに干渉を与えずに動作するためには、使用するチャネル帯域幅のサイズ、または、チャネル帯域幅に基づく伝送電力制限値などをさらに決定する必要がある。そこで、本発明では、ホワイトスペースで動作する非免許機器（例えば、ＡＰ及び／またはＳＴＡ）のチャネル帯域幅に基づいて伝送電力制限値をシグナリングする様々な方案について提案する。
【００６６】
まず、ホワイトスペース帯域でのチャネルの構成を例示的に説明する。ホワイトスペース帯域の一例としてＴＶＷＳ帯域を挙げて説明する。ただし、本発明の範囲は、ＴＶＷＳにおける非免許機器関連動作に制限されるものではなく、一般的なホワイトスペースにおける非免許機器関連動作にも適用可能である。ＴＶＷＳは既存のＶＨＦ、ＵＨＦ周波数帯域を含むことができ、ＴＶＷＳで動作するＡＰ、ＳＴＡなどの機器（ＴＶＢＤ（ＴＶ  Ｂａｎｄ  Ｄｅｖｉｃｅ）という。）は、約３０個のチャネルを使用することができ、一つのチャネルの帯域幅単位は基本的に６ＭＨｚでよい。ＴＶＢＤがＴＶＷＳのチャネルを使用するためには、そのチャネルに優先的ユーザー（ｉｎｃｕｍｂｅｎｔ  ｕｓｅｒ）が存在しないことが必須である。また、優先的ユーザーが使用するチャネルの帯域幅の単位は６ＭＨｚであるから、ＴＶＢＤが使用するチャネルの帯域幅は６ＭＨｚ以下でなければならない。ここで、ＩＥＥＥ  ８０２．１１ａシステムで５ＭＨｚ／１０ＭＨｚ／２０ＭＨｚチャネル帯域幅を支援するから、ＴＶＢＤ動作において５ＭＨｚを基本的なチャネル帯域幅として用いることができる。また、ＴＶＷＳで優先的ユーザーが存在しないチャネルが連続的に何個存在しているかによって、ＴＶＢＤが使用できるチャネルの帯域幅は、１０ＭＨｚまたは２０ＭＨｚになることもある。
【００６７】
図６は、ホワイトスペース帯域でのチャネル帯域幅割当の様々な例を示す図である。図６（ａ）は、チャネル帯域幅が連続的チャネルで構成される例を示し、図６（ｂ）は、チャネル帯域幅が不連続的（ｎｏｎ−ｃｏｎｔｉｇｕｏｕｓ）チャネルで構成される例を示している。図６のチャネル割当は例示に過ぎず、その他の方式でホワイトスペース帯域で非免許機器に対するチャネル帯域幅の割当が行われてもよい。
【００６８】
非免許機器が使用するチャネル及び帯域幅を決定する際に、次のような事項を考慮することができる。優先的ユーザーが存在しないチャネルが連続的に存在する場合には、非免許機器が広い帯域幅を使用することが一般的には有利である。しかし、ホワイトスペースでの非免許機器の通信のためのチャネル帯域幅を増加させる場合に、隣接チャネルに対するＦＣＣ規定（Ｆｅｄｅｒａｌ  Ｃｏｍｍｕｎｉｃａｔｉｏｎｓ  Ｃｏｍｍｉｓｓｉｏｎ  Ｒｅｇｕｌａｔｉｏｎ）をさらに考慮しなければならない（ＦＣＣは、ネットワーク安全性、保安などのためにホワイトスペース帯域での通信において守るべき規則を定めており、ＦＣＣ規定を満たさない機器は、ホワイトスペース帯域での動作が禁じられるべきである）。ＦＣＣ規定によれば、現在非免許機器が使用しているチャネルに隣接したチャネルで優先的ユーザーの信号が検出（ｄｅｔｅｃｔ）されると、非免許機器は現在使用中の当該チャネルでの伝送電力を下げなければならない。
【００６９】
図７は、ホワイトスペース帯域でのチャネル割当の例を示す図である。ここで、あるチャネルに隣接したチャネルとは、あるチャネルの両側（高い及び低い周波数方向）に直に接しているチャネルのことを意味する。図７では、非免許機器が使用中のチャネルの両側に隣接チャネル（ａｄｊａｃｅｎｔ  ｃｈａｎｎｅｌ）を表示した。非免許機器が使用するチャネルに隣接したチャネルで優先的ユーザーが存在しない場合に、非免許機器の最大伝送電力レベルは略１００ｍＷである。しかし、図７のように、非免許機器が使用するチャネルに隣接したチャネルで優先的ユーザーが存在する場合には、非免許機器の最大伝送電力レベルを４０ｍＷに制限することができる。
【００７０】
例えば、図７に例示するように、連続した３個のホワイトスペースチャネルが空いている（すなわち、優先的ユーザーが存在しない）場合に、非免許機器は１８ＭＨｚ（＝６ＭＨｚ×３）の帯域を使用することができる。前述したように、非免許機器が使用する帯域幅は５ＭＨｚ／１０ＭＨｚ／２０ＭＨｚであるから、３個のホワイトスペースチャネル帯域が空いている場合に、非免許機器は１０ＭＨｚサイズのチャネル帯域幅を使用することができる。ここで、連続した３個のホワイトスペースチャネルが空いているということは、これら連続した３個のチャネルに隣接した両側（図７の隣接チャネル）に優先的ユーザーが存在するという意味である。この場合、非免許機器が連続した３個のホワイトスペースチャネルを使って１０ＭＨｚ帯域幅の通信を行うようになると、隣接チャネルの優先的ユーザーを保護するために非免許機器の伝送電力を４０ｍＷに制限しなければならない。一方、連続した３個のホワイトスペースチャネルが空いているが、非免許機器が連続した３個のホワイトスペースチャネルのうち、中央の一つのホワイトスペースチャネル内で５ＭＨｚ帯域幅の通信を行うと、隣接したチャネルには優先的ユーザーが存在しないから、最大伝送電力を１００ｍＷとして使用することができる。
【００７１】
図８は、ホワイトスペースでのチャネル割当の他の例を示す図である。図８では、５個のホワイトスペースチャネルが空いている（すなわち、優先的ユーザーにより使用されない）場合に、非免許機器のために５ＭＨｚ、１０ＭＨｚまたは２０ＭＨｚチャネル帯域幅を割り当てる例を示す。非免許機器が５ＭＨｚ帯域幅を用いて信号伝送をする場合に、ＣＨ３の一部のみが非免許機器に割り当てられ、隣接チャネルに優先的ユーザーが存在しないから、高い伝送電力（例えば、１００ｍＷ）で伝送することが可能である。また、非免許機器が１０ＭＨｚ帯域幅を用いて信号伝送をする場合に、ＣＨ３の全部、及びＣＨ２及びＣＨ４の一部のみが非免許機器に割り当てられ、隣接チャネルに優先的ユーザーが存在しないから、高い伝送電力（例えば、１００ｍＷ）で伝送することが可能である。一方、非免許機器が２０ＭＨｚ帯域幅を用いて信号伝送をする場合は、ＣＨ２、ＣＨ３及びＣＨ４の全部、及びＣＨ１及びＣＨ５の一部が非免許機器に割り当てられ、ＣＨ１及びＣＨ５の隣接チャネルには優先的ユーザーが存在するから、当該非免許機器の伝送電力は４０ｍＷに制限される。
【００７２】
このように、広い帯域幅を使用しながら低い電力レベルで伝送することが有利な環境と、狭い帯域幅を使用しながら高い電力レベルで伝送することが有利な環境は、それぞれ異なる。一般には、広い帯域幅を使用するほど、一回に伝送できるデータの量が増加するので、非免許機器のために広い帯域幅を使用することが有利であるが、一方では、伝送電力レベルが低くなるとカバレッジが減少し、隠れノード問題（ｈｉｄｄｅｎ  ｎｏｄｅ  ｐｒｏｂｌｅｍ；無線ＡＰでは当該ノード（機器）が見えるが（ｖｉｓｉｂｌｅ）、該ＡＰと通信する他のノード（機器）では当該ノードが見えない問題）などが発生することがある。したがって、非免許機器の動作のためのチャネルを決定するにあたり、チャネルの位置及び帯域幅によって隣接チャネルでの優先的ユーザーの存在有無が変わることがあり、これによって非免許機器の伝送電力が制限されることもあるので、これを総合的に考慮して、優先的ユーザーへの干渉を減らしながらも非免許機器の動作に有利なチャネル位置及び帯域幅を決定することが必要である。
【００７３】
ホワイトスペースで動作する非免許機器（例えば、８０２．１１  ＡＰ及び／またはＳＴＡ）は、環境に応じて適切に伝送帯域を設定することができるが、これを帯域幅適応メカニズム（ｂａｎｄｗｉｄｔｈ  ａｄａｐｔｉｏｎ  ｍｅｃｈａｎｉｓｍ）ということができる。以下の本発明の説明において、ホワイトスペースで動作する非免許機器（ＡＰ及び／またはＳＴＡ）は、このような適応的帯域幅決定を行うことができると仮定する。
【００７４】
このように非免許機器に帯域幅を割り当てる場合に、割り当てられる帯域幅別に最大伝送電力が適切に設定される必要がある。非免許機器が使用するチャネル帯域幅別に最大伝送電力レベルに関する情報をシグナリングするために、拡張された電力制限情報要素（ｅｘｔｅｎｄｅｄ  ｐｏｗｅｒ  ｃｏｎｓｔｒａｉｎｔ  ｉｎｆｏｒｍａｔｉｏｎ  ｅｌｅｍｅｎｔ）が定義される。
【００７５】
図９は、電力制限情報要素のフォーマットの様々な例を示す図である。
【００７６】
図９（ａ）は、電力制限情報要素のフォーマットの一例である。図９（ａ）の例では、ＩＥＥＥ  ８０１．１１  ＷＬＡＮ標準における定義と略同様に、電力制限情報要素は、Ｅｌｅｍｅｎｔ  ＩＤフィールド（１オクテット長）、Ｌｅｎｇｔｈフィールド（１オクテット長）及びＬｏｃａｌ  Ｐｏｗｅｒ  Ｃｏｎｓｔｒａｉｎｔフィールド（１オクテット長）を含むことができる。Ｅｌｅｍｅｎｔ  ＩＤフィールドは、当該情報要素が電力制限情報要素であることを示す識別子に該当する値を有することができる。Ｌｅｎｇｔｈフィールドは、Ｌｅｎｇｔｈフィールド以降の長さを示す値を有することができ、本例では、１の値に設定することができる。Ｌｏｃａｌ  Ｐｏｗｅｒ  Ｃｏｎｓｔｒａｉｎｔフィールドは、ＳＴＡに適用される伝送電力の設定を示す値を有することができる。本発明の実施例では、ｄＢｍ単位の値で表現されるとして説明する。このような情報要素（ｉｎｆｏｒｍａｔｉｏｎ  ｅｌｅｍｅｎｔ）は、ビーコンフレーム（ｂｅａｃｏｎ  ｆｒａｍｅ）、プローブ応答フレーム（ｐｒｏｂｅ  ｒｅｓｐｏｎｓｅ  ｆｒａｍｅ）などに含まれて伝送されることが可能である。
【００７７】
図９（ｂ）は、本発明で提案する拡張された電力制限情報要素のフォーマットを示す。
【００７８】
図９（ｂ）の例で、Ｅｌｅｍｅｎｔ  ＩＤフィールドは、拡張された電力制限情報要素であることを示す値を有することができ、Ｌｅｎｇｔｈフィールドは、ｎ値を有することができる。ｎ値は、後述する様々な例に従って別々に設定することができる。拡張された電力制限情報要素は、Ｃｈａｎｎｅｌ  Ｐｏｗｅｒ  Ｃｏｎｓｔｒａｉｎｔフィールドを含み、このフィールドは一つ以上反復可能である。図９（ｂ）の例のような情報要素を用いて、チャネル帯域幅に基づいて最大伝送電力レベルをシグナリングすることができる。ここで、チャネル帯域幅に従って別々に最大伝送電力を設定するということは、２つの場合を含む。その一つは、チャネル帯域幅のサイズに従って最大伝送電力レベルを決定する場合であり、もう一つは、チャネル番号（チャネルの位置）に従って最大伝送電力レベルを決定する場合である。
【００７９】
図９（ｃ）は、図９（ｂ）の拡張された電力制限情報要素フォーマットにおいてＣｈａｎｎｅｌ  Ｐｏｗｅｒ  Ｃｏｎｓｔｒａｉｎｔフィールドの細部的なフォーマットの一例を示す図で、チャネル帯域幅のサイズに基づいて最大伝送電力レベルを決定する場合を示している。Ｃｈａｎｎｅｌ  Ｂａｎｄｗｉｄｔｈフィールドは、チャネル帯域幅のサイズ、すなわち、５ＭＨｚ、１０ＭＨｚまたは２０ＭＨｚを示す値を有し、Ｌｏｃａｌ  Ｐｏｗｅｒ  Ｃｏｎｓｔｒａｉｎｔフィールドは、当該帯域幅のサイズで適用される最大伝送電力を示す値を有することができる。例えば、５ＭＨｚ、１０ＭＨｚ及び２０ＭＨｚのそれぞれに対する最大伝送電力制限値をシグナリングする場合に、図９（ｂ）の拡張された電力制限情報要素フォーマットにおいて、Ｃｈａｎｎｅｌ  Ｐｏｗｅｒ  Ｃｏｎｓｔｒａｉｎｔフィールドを、図９（ｃ）のＣｈａｎｎｅｌ  ＢａｎｄｗｉｄｔｈフィールドとＬｏｃａｌ  Ｐｏｗｅｒ  Ｃｏｎｓｔｒａｉｎｔフィールドとの対が３回反復される形態にすることができる。
【００８０】
このような方式で帯域幅のサイズに従って最大伝送電力制限値を設定する場合に、当該帯域幅に含まれる全てのチャネルにおいて最大伝送電力を同一に設定することができる。例えば、図８の例で、１０ＭＨｚの帯域幅が割り当てられる場合に、ＣＨ２乃至ＣＨ４でいずれも最大伝送電力が１００ｍＷに設定され、２０ＭＨｚの帯域幅が割り当てられる場合に、ＣＨ１乃至ＣＨ５でいずれも最大伝送電力を４０ｍＷに設定される。
【００８１】
図９（ｄ）は、図９（ｂ）の拡張された電力制限情報要素フォーマットにおいてＣｈａｎｎｅｌ  Ｐｏｗｅｒ  Ｃｏｎｓｔｒａｉｎｔフィールドの細部的なフォーマットの一例を示す図で、チャネル番号に従って最大伝送電力レベルを別々に決定する場合を示している。例えば、図８の例と同様に、ホワイトスペースで５個のチャネルが空いている場合に、ホワイトスペースで動作するＡＰは、ＣＨ１及びＣＨ５のそれぞれに対しては最大伝送電力を４０ｍＷに設定し、ＣＨ２、ＣＨ３及びＣＨ４のそれぞれに対しては最大伝送電力を１００ｍＷに設定することができる。この場合、ホワイトスペースで動作するＳＴＡがＣＨ１及び／またはＣＨ５で伝送を行う場合は、電力が４０ｍＷに制限され、ＣＨ２、ＣＨ３及び／またはＣＨ４を使用する場合は、伝送電力が１００ｍＷまで許容される。
【００８２】
図９（ｃ）の例では、非免許機器が使用する帯域幅内で一つの伝送電力値が適用されるが、図９（ｄ）の例では、非免許機器が使用する帯域幅のサイズに関わらずに、それぞれのチャネル別に異なる伝送電力値が適用されることが可能である。例えば、図８の例で、非免許機器が２０ＭＨｚの帯域幅を使用する場合に、ＣＨ２、ＣＨ３、ＣＨ４のそれぞれに対しては１００ｍＷに最大伝送電力が設定されながら、ＣＨ１及びＣＨ５では４０ｍＷに最大伝送電力が設定されてもよい。
【００８３】
一方、図９（ｄ）の例で、チャネル番号は、特定チャネルの中心周波数（ｃｅｎｔｅｒ  ｆｒｅｑｕｅｎｃｙ）が位置しているチャネルの番号を示すこともできる。この場合、チャネル番号は任意のサイズの帯域幅の中心周波数の位置を意味することができる。例えば、図８の例で、ＣＨ３は、５ＭＨｚ帯域幅のチャネルの中心周波数がＣＨ３に位置することを意味することもでき、または、中心周波数がＣＨ３に存在する１０ＭＨｚ帯域幅を意味することもできる。そのため、伝送電力制限を正しく適用するためには、チャネル番号（すなわち、中心周波数の位置）と共にチャネル帯域幅のサイズに関する情報がシグナリングされなければならない。この場合における拡張された伝送電力制限情報要素のＣｈａｎｎｅｌ  Ｐｏｗｅｒ  Ｃｏｎｓｔｒａｉｎｔフィールドの細部的な構成例を、図１０を参照して説明する。
【００８４】
図１０（ａ）は、図９（ｂ）の拡張された電力制限情報要素フォーマットにおいてＣｈａｎｎｅｌ  Ｐｏｗｅｒ  Ｃｏｎｓｔｒａｉｎｔフィールドの細部的なフォーマットの一例を示す図で、チャネル番号（すなわち、中心周波数の位置）及びチャネル帯域幅のサイズに基づいて最大伝送電力レベルを決定する場合を示している。図１０（ａ）で、Ｃｈａｎｎｅｌ  Ｎｕｍｂｅｒフィールドは、伝送電力制限値が適用されるチャネル帯域幅の中心周波数の位置を示す。本文書で、Ｃｈａｎｎｅｌ  Ｎｕｍｂｅｒフィールドは、一つのチャネルを他のチャネルと区別するための識別子情報（すなわち、図８の例で、ＣＨ１、ＣＨ２、ＣＨ３、ＣＨ４、ＣＨ５で表すように、最小単位としてのチャネルを表す識別子）に該当し、後述するｎｕｍｂｅｒ  ｏｆ  ｃｈａｎｎｅｌｓ（チャネルの個数を示すフィールド）とは区別される。次に、Ｃｈａｎｎｅｌ  Ｂａｎｄｗｉｄｔｈはその帯域幅のサイズを示し、Ｌｏｃａｌ  Ｐｏｗｅｒ  Ｃｏｎｓｔｒａｉｎｔフィールドは、その中心周波数の位置及び帯域幅のサイズで特定される周波数領域で適用される伝送電力制限値を示す。
【００８５】
図１０（ｂ）は、図１０（ａ）の変形例であり、非免許機器に割り当てられたチャネルが不連続的な（ｎｏｎ−ｃｏｎｔｉｇｕｏｕｓ）場合を示している。例えば、２０ＭＨｚのチャネルが構成される場合に、不連続的な２つのセグメント（ｓｅｇｍｅｎｔ）で構成されることがある（一つのセグメントは１０ＭＨｚサイズの帯域幅で構成可能である）。この場合、それぞれのセグメントに対してチャネル番号（すなわち、中心周波数の位置）及び帯域幅のサイズ情報が伝送電力制限値と共にシグナリングされなければならない。非免許機器に割り当てられるチャネル帯域幅が２個のセグメントで構成される場合に、図１０（ｂ）の３つのフィールドはセグメントの個数（すなわち、２）だけ反復されうる。
【００８６】
図１０（ｃ）は、図１０（ａ）の変形例であり、非免許機器に割り当てられたチャネルが不連続的（ｎｏｎ−ｃｏｎｔｉｇｕｏｕｓ）であり、かつ各セグメントの帯域幅が同一である場合を示している。この場合、Ｃｈａｎｎｅｌ  Ｂａｎｄｗｉｄｔｈフィールドは反復される必要がなく、全セグメントに対して共通に適用される値と解釈すればよい。すなわち、それぞれのセグメント別にチャネル番号（すなわち、中心周波数の位置）及び最大伝送電力値をシグナリングすればいいので、図１０（ｃ）に示すように、Ｃｈａｎｎｅｌ  Ｎｕｍｂｅｒフィールド及びＬｏｃａｌ  Ｐｏｗｅｒ  Ｃｏｎｓｔｒａｉｎｔフィールドのみをセグメントの個数だけ反復すればよい。
【００８７】
図１０（ｄ）は、図１０（ａ）の変形例であり、非免許機器に割り当てられたチャネルが不連続的であり、かつ各セグメントの帯域幅及び伝送電力制限値が同一である場合を示している。この場合、Ｃｈａｎｎｅｌ  Ｂａｎｄｗｉｄｔｈフィールド及びＬｏｃａｌ  Ｐｏｗｅｒ  Ｃｏｎｓｔｒａｉｎｔフィールドは反復される必要がなく、全セグメントに対して共通に適用される値と解釈すればよい。すなわち、それぞれのセグメント別にチャネル番号（すなわち、中心周波数の位置）のみをシグナリングすればいいので、図１０（ｄ）に示すように、Ｃｈａｎｎｅｌ  Ｎｕｍｂｅｒフィールドのみをセグメントの個数だけ反復すればよい。
【００８８】
（最大伝送電力情報のシグナリング方案）
前述したように、ホワイトスペースで非免許機器に割り当てられるチャネル帯域幅の位置及びサイズ、隣接チャネルにおける優先的ユーザーの存在有無などを考慮して、当該チャネル帯域幅での最大伝送電力制限値をシグナリングすることができる。このような最大伝送電力シグナリング方案は、一国家内で非免許機器が動作する場合に適用することができるが、最大許容伝送電力の規制は国家別にそれぞれ適用される。そのため、国家別に最大許容伝送電力をシグナリングすることが必要である。
【００８９】
図１１は、国家情報要素のフォーマットを例示する図である。国家情報要素（ｃｏｕｎｔｒｙ  ｉｎｆｏｒｍａｔｉｏｎ  ｅｌｅｍｅｎｔ）は、ＳＴＡが、自身の位置している規制ドメイン（ｒｅｇｕｌａｔｏｒｙ  ｄｏｍａｉｎ）を識別し、当該規制ドメインでの動作のための設定を可能にするのに必要な情報を含む情報要素である。ここで、任意の情報要素（ｉｎｆｏｒｍａｔｉｏｎ  ｅｌｅｍｅｎｔ）は、管理フレームボディー（Ｍａｎａｇｅｍｅｎｔ  Ｆｒａｍｅ  Ｂｏｄｙ）の構成要素（ｃｏｍｐｏｎｅｎｔｓ）に相当できる。一般的なＭＡＣフレームフォーマットは、フレームヘッダー、フレームボディー及びＦＣＳ（Ｆｒａｍｅ  Ｃｈｅｃｋ  Ｓｅｑｕｅｎｃｅ）で構成可能である。
【００９０】
図１１の例で、Ｅｌｅｍｅｎｔ  ＩＤフィールドは、当該情報要素が国家情報要素であることを示す識別子に該当する値を有することができる。Ｌｅｎｇｔｈフィールドは、Ｌｅｎｇｔｈフィールド以降の長さを示す値を有することができる。Ｃｏｕｎｔｒｙ  Ｓｔｒｉｎｇフィールドは該当の国家を示すもので、ｄｏｔ１１ＣｏｕｎｔｒｙＳｔｒｉｎｇ属性（ａｔｔｒｉｂｕｔｅ）に含まれている値に設定され、かつ３オクテットの長さを有する。Ｃｏｕｎｔｒｙ  Ｆｉｅｌｄ  Ｔｒｉｐｌｅｔｓフィールドは、３オクテットの倍数の長さを有し（すなわち、３オクテットの長さのフィールドが１回以上反復され）。その具体的な内容は表１を参照して下記する。本文書で、ＴｒｉｐｌｅｔまたはＴｒｉｐｌｅという表現は同じ意味であり、３個のオクテットの束で構成される一つの単位を意味する。Ｐａｄフィールドは、０または１オクテットの長さを有する。国家情報要素の長さは２で割れなければならないから、Ｐａｄフィールド以前の長さが奇数オクテットの長さを有すると、１オクテット長を加えるためにＰａｄフィールドを使用することができる。Ｐａｄフィールドの値は０である。
【００９１】
下の表１は、Ｃｏｕｎｔｒｙ  Ｆｉｅｌｄ  Ｔｒｉｐｌｅｔｓフィールドの構成を説明するためのものである。
【００９２】
【表１】
0005554880.tif 000002
Ｃｏｕｎｔｒｙ  Ｆｉｅｌｄ  Ｔｒｉｐｌｅｔｓの１番目のオクテットは、Ｆｉｒｓｔ  Ｃｈａｎｎｅｌ  Ｎｕｍｂｅｒ／Ｏｐｅｒａｔｉｎｇ  Ｅｘｔｅｎｓｉｏｎ  Ｉｄｅｎｔｉｆｉｅｒフィールドで構成される。すなわち、１番目のオクテット（Ｆｉｒｓｔ  Ｃｈａｎｎｅｌ  Ｎｕｍｂｅｒ／Ｏｐｅｒａｔｉｎｇ  Ｅｘｔｅｎｓｉｏｎ  Ｉｄｅｎｔｉｆｉｅｒフィールド）の値が２０１の場合には、Ｃｏｕｎｔｒｙ  Ｆｉｅｌｄ  Ｔｒｉｐｌｅｔｓフィールドは、Ｏｐｅｒａｔｉｏｎ  Ｅｘｔｅｎｓｉｏｎ  Ｉｄｅｎｔｉｆｉｅｒ、Ｏｐｅｒａｔｉｎｇ  Ｃｌａｓｓ及びＣｏｖｅｒａｇｅ  Ｃｌａｓｓを含むようになり、これら３個のフィールドをまとめてＯｐｅｒａｔｉｎｇ  Ｔｒｉｐｌｅと称することができる。一方、１番目のオクテット（Ｆｉｒｓｔ  Ｃｈａｎｎｅｌ  Ｎｕｍｂｅｒ／Ｏｐｅｒａｔｉｎｇ  Ｅｘｔｅｎｓｉｏｎ  Ｉｄｅｎｔｉｆｉｅｒフィールド）の値が２０１でない場合には、Ｃｏｕｎｔｒｙ  Ｆｉｅｌｄ  ＴｒｉｐｌｅｔｓフィールドはＦｉｒｓｔ  Ｃｈａｎｎｅｌ  Ｎｕｍｂｅｒ、ｎｕｍｂｅｒ  ｏｆ  ｃｈａｎｎｅｌｓ及びＭａｘｉｍｕｍ  Ｔｒａｎｓｍｉｔ  Ｐｏｗｅｒ  Ｌｅｖｅｌを含むようになり、これら３個のフィールドをまとめてＳｕｂｂａｎｄ  Ｔｒｉｐｌｅと称することができる。
【００９３】
Ｏｐｅｒａｔｉｎｇ  Ｔｒｉｐｌｅにおいて、１番目のオクテットは、Ｏｐｅｒａｔｉｎｇ  Ｔｒｉｐｌｅであることを示す識別子に該当し、２度目及び３番目のオクテットはそれぞれ、Ｏｐｅｒａｔｉｎｇ  Ｃｌａｓｓフィールド及びＣｏｖｅｒａｇｅ  Ｃｌａｓｓフィールドに該当する。
【００９４】
Ｏｐｅｒａｔｉｎｇ  Ｃｌａｓｓフィールドは、無線機器に適用される規則のセットが定められているが、これらの規則のセットから一つのセットを指示するインデックスとして機能する。例えば、これら規則の一つのセットを、チャネル開始周波数（Ｃｈａｎｎｅｌ  Ｓｔａｒｔｉｎｇ  Ｆｒｅｑｕｅｎｃｙ）、チャネル間隔（Ｃｈａｎｎｅｌ  Ｓｐａｃｉｎｇ）、チャネルセット（Ｃｈａｎｎｅｌ  Ｓｅｔ）、動作制限セット（Ｂｅｈａｖｉｏｒ  Ｌｉｍｉｔ  Ｓｅｔ）で構成することができる。すなわち、Ｏｐｅｒａｔｉｎｇ  Ｃｌａｓｓは、特定周波数、帯域幅及びチャネル番号で定義されるあらかじめ定められたチャネルグループということができる。簡略に表現すると、Ｏｐｅｒａｔｉｎｇ  Ｃｌａｓｓは、所定の規則に従うチャネルグループの規定といえる。例えば、アメリカではＯｐｅｒａｔｉｎｇ  Ｃｌａｓｓを下の表２のように決定することができる。
【００９５】
【表２】
0005554880.tif 000003
次に、Ｃｏｖｅｒａｇｅ  Ｃｌａｓｓフィールドは、無線伝播時間（Ａｉｒ  Ｐｒｏｐａｇａｔｉｏｎ  Ｔｉｍｅ）に対する値のセットを指示するインデックスとして機能する。
【００９６】
一方、Ｓｕｂｂａｎｄ  Ｔｒｉｐｌｅでは、１番目のオクテットはＦｉｒｓｔ  Ｃｈａｎｎｅｌ  Ｎｕｍｂｅｒフィールドに該当し、２番目のオクテットはｎｕｍｂｅｒ  ｏｆ  ｃｈａｎｎｅｌｓフィールドに該当し、３番目のオクテットはＭａｘｉｍｕｍ  Ｔｒａｎｓｍｉｔ  Ｐｏｗｅｒ  Ｌｅｖｅｌに該当する。すなわち、Ｓｕｂｂａｎｄ  Ｔｒｉｐｌｅを通じて、特定チャネルに対する最大伝送電力レベルをシグナリングすることができる。ここで、最大伝送電力レベルが適用されるチャネルは、開始点に関する情報（Ｆｉｒｓｔ  Ｃｈａｎｎｅｌ  Ｎｕｍｂｅｒフィールド）と何個のチャネルを含んでいるかに関する情報（ｎｕｍｂｅｒ  ｏｆ  ｃｈａｎｎｅｌｓフィールド）のみで特定される。すなわち、連続したチャネルの単位に同一の最大伝送電力レベルを設定することができる。
【００９７】
例えば、図１１のＣｏｕｎｔｒｙ  Ｆｉｅｌｄ  Ｔｒｉｐｌｅｔｓフィールドは、Ｏｐｅｒａｔｉｎｇ  Ｔｒｉｐｌｅに続いてＳｕｂｂａｎｄ  Ｔｒｉｐｌｅで構成されてもよい（このとき、図１１のＮ＝２である）。この場合、Ｏｐｅｒａｔｉｎｇ  ｔｒｉｐｌｅを通じて無線機器に対するＯｐｅｒａｔｉｎｇ  ｃｌａｓｓ（チャネルセットに関する情報を含む。）に関する情報を与え、Ｓｕｂｂａｎｄ  Ｔｒｉｐｌｅを通じて、連続したチャネルに対する最大伝送電力レベルをシグナリングすることができる。
【００９８】
図１２は、図１１と同一の内容であり、表１で説明した図１１のＣｏｕｎｔｒｙ  Ｆｉｅｌｄ  Ｔｒｉｐｌｅｔｓフィールドの構成を、国家情報要素の残りフィールドと一緒に表現したものである。
【００９９】
一方、図１１または図１２のような国家情報要素を用いて当該チャネルに対する最大伝送電力レベルを知らせることが、非免許機器に割り当てられるチャネルが連続している場合には適合するが、不連続的なチャネルに対する最大伝送電力レベルを知らせるには適合しないこともある。例えば、不連続的なチャネルに対する最大伝送電力レベルを国家情報要素を用いて知らせる場合には、不連続的なチャネルを構成するそれぞれのＯｐｅｒａｔｉｎｇ  Ｃｌａｓｓ、Ｃｈａｎｎｅｌ  Ｓｅｔなどを定義する情報がシグナリングされてこそ、当該Ｏｐｅｒａｔｉｎｇ  ＣｌａｓｓのＣｈａｎｎｅｌ  Ｓｅｔに対して最大伝送電力レベルをシグナリングすることができる。例えば、１０個のチャネルが存在し、２個のチャネルずつまとめて一つの不連続的なチャネルを構成する場合に、あらゆる可能な組み合わせに対する場合の数は３６になる。したがって、既存の国家情報要素を用いて不連続的なチャネルに対する最大伝送電力レベルを知らせるためには、不連続的なチャネルが構成されうるあらゆる場合に対応するＯｐｅｒａｔｉｎｇ  ｃｌａｓｓ及びｃｈａｎｎｅｌ  ｓｅｔをあらかじめ定義しておかなければならず、こうしてこそ、あらかじめ定義されているチャネルセットの中から特定チャネルセットに対する最大伝送電力レベルをシグナリングすることが可能になる。
【０１００】
不連続的なチャネルの場合は、構成可能な場合の数が多すぎるため、前述したように、構成可能なあらゆるチャネルセットをあらかじめテーブルの形態で定義することは、リソースの浪費につながったり、または、リソースの制約がある場合には不可能になる。また、不連続的なチャネルの場合に、構成可能なあらゆる場合に対応するＯｐｅｒａｔｉｎｇ  ｃｌａｓｓ及びＣｈａｎｎｅｌ  Ｓｅｔをあらかじめ定義しておくといっても、そのうちのいずれのＯｐｅｒａｔｉｎｇ  ｃｌａｓｓ及びＣｈａｎｎｅｌ  Ｓｅｔであるかをインデクシングするには、シグナリングのオーバーヘッドが大きく増加することがある。そこで、不連続的なチャネル構成の場合にも、最大伝送電力レベルを効率的且つ正確にシグナリングできる方案が要求される。そのために、本発明では、不連続的なチャネル構成を含む様々な場合について最大許容伝送電力を知らせるための新しいフォーマットを提案する。これに関する本発明の様々な例示について以下に説明する。
【０１０１】
下の表３に、本発明の一実施例に係る新しいＣｏｕｎｔｒｙ  Ｆｉｅｌｄ  Ｔｒｉｐｌｅｓフォーマットを示す。
【０１０２】
【表３】
0005554880.tif 000004
既存のＣｏｕｎｔｒｙ  Ｆｉｅｌｄ  Ｔｒｉｐｌｅｔｓ（表１参照）とは違い、本発明では、Ｃｈａｎｎｅｌ  Ｐｏｗｅｒ  Ｔｒｉｐｌｅ及びＳｕｂ−ｃｈａｎｎｅｌ  Ｔｒｉｐｌｅを新しく定義する。既存のＯｐｅｒａｔｉｎｇ  Ｔｒｉｐｌｅ及びＳｕｂｂａｎｄ  Ｔｒｉｐｌｅのみで構成された国家情報要素は、連続的なチャネルに対する最大許容伝送電力をシグナリングする際には充分であるが、不連続的に構成されたチャネルに対しては非効率的である。本発明で提案するＣｈａｎｎｅｌ  Ｐｏｗｅｒ  Ｔｒｉｐｌｅ及びＳｕｂ−ｃｈａｎｎｅｌ  Ｔｒｉｐｌｅを用いることによって、不連続的なチャネルに対しても效率的に最大許容伝送電力をシグナリングすることができる。
【０１０３】
表３の例で、Ｃｈａｎｎｅｌ  Ｐｏｗｅｒ  Ｔｒｉｐｌｅは、国家情報要素を用いて最大許容伝送電力をシグナリングする際に、最大許容伝送電力の適用されるチャネルが不連続チャネルであることを識別する用途に用いることができる。Ｃｈａｎｎｅｌ  Ｐｏｗｅｒ  Ｔｒｉｐｌｅに続いてＳｕｂ−ｃｈａｎｎｅｌ  Ｔｒｉｐｌｅを追加してもよく、これは、不連続的なチャネルに対する最大許容伝送電力レベルを指示する用途に用いることができる。
【０１０４】
具体的に、Ｃｏｕｎｔｒｙ  Ｆｉｅｌｄ  Ｔｒｉｐｌｅｔｓ（図１１参照）がＣｈａｎｎｅｌ  Ｐｏｗｅｒ  Ｔｒｉｐｌｅであるか否かは、１番目のオクテットであるＣｈａｎｎｅｌ  Ｐｏｗｅｒ  Ｉｄｅｎｔｉｆｉｅｒフィールドの値を用いて識別することができる。例えば、表３に示すように、Ｃｈａｎｎｅｌ  Ｐｏｗｅｒ  Ｉｄｅｎｔｉｆｉｅｒフィールドの値が２０２の場合に、Ｃｏｕｎｔｒｙ  Ｆｉｅｌｄ  ＴｒｉｐｌｅｔｓがＣｈａｎｎｅｌ  Ｐｏｗｅｒ  Ｔｒｉｐｌｅである旨を示すことができる。Ｃｈａｎｎｅｌ  Ｐｏｗｅｒ  Ｔｒｉｐｌｅの２番目のオクテットはＯｐｅｒａｔｉｎｇ  Ｃｌａｓｓフィールドであり、３番目のオクテットはＣｏｖｅｒａｇｅ  Ｃｌａｓｓフィールドである。Ｃｈａｎｎｅｌ  Ｐｏｗｅｒ  ＴｒｉｐｌｅのＯｐｅｒａｔｉｎｇ  Ｃｌａｓｓ及びＣｏｖｅｒａｇｅ  Ｃｌａｓｓフィールドは、Ｃｈａｎｎｅｌ  Ｐｏｗｅｒ  Ｔｒｉｐｌｅに後続するＳｕｂ−ｃｈａｎｎｅｌ  Ｔｒｉｐｌｅで示すチャネルが属するＯｐｅｒａｔｉｎｇ  Ｃｌａｓｓ及びＣｏｖｅｒａｇｅ  Ｃｌａｓｓに該当する。このように定義されるＣｈａｎｎｅｌ  Ｐｏｗｅｒ  Ｔｒｉｐｌｅを通じて、後続するＳｕｂ−ｃｈａｎｎｅｌ  Ｔｒｉｐｌｅが適用されるチャネルが属するＯｐｅｒａｔｉｎｇ  Ｃｌａｓｓなどを知らせることができ（例えば、Ｓｕｂ−ｃｈａｎｎｅｌ  Ｔｒｉｐｌｅが適用されるチャネルは、Ｃｈａｎｎｅｌ  Ｐｏｗｅｒ  ＴｒｉｐｌｅのＯｐｅｒａｔｉｎｇ  Ｃｌａｓｓに該当するチャネルの一部または全部になりうる。）、かつ不連続的なチャネルで構成されていることを知らせることができる。Ｃｈａｎｎｅｌ  Ｐｏｗｅｒ  Ｔｒｉｐｌｅの直後には、Ｓｕｂ−ｂａｎｄ  Ｔｒｉｐｌｅが来ることができず、Ｓｕｂ−ｃｈａｎｎｅｌ  Ｔｒｉｐｌｅが来ることができる。
【０１０５】
Ｓｕｂ−ｃｈａｎｎｅｌ  Ｔｒｉｐｌｅは、Ｃｈａｎｎｅｌ  Ｉｎｄｅｘ、Ｃｈａｎｎｅｌ  Ｎｕｍｂｅｒ及びＭａｘｉｍｕｍ  Ｔｒａｎｓｍｉｔ  Ｐｏｗｅｒ  Ｌｅｖｅｌフィールドで構成される。Ｃｈａｎｎｅｌ  Ｉｎｄｅｘフィールドは、Ｓｕｂ−ｃｈａｎｎｅｌ  Ｔｒｉｐｌｅが適用される一つの不連続チャネルに対する識別値として用いることができる。ここで、不連続的なチャネルは、隣接していないチャネルを含む。ここで、チャネルとは、それぞれのチャネル番号（Ｃｈａｎｎｅｌ  Ｎｕｍｂｅｒ）で区別される最小単位を意味する。図１３には、不連続的なチャネルの構成例を示す。図１３の例では、一つの不連続的なチャネル（隣接していないチャネルを含む一つの単位）に対して一つのチャネルインデックス（ＣＨ  ｉｎｄｅｘ）が与えられる場合を示す。図１３（ａ）で、ＣＨ  ｉｎｄｅｘ  ０が与えられた不連続的なチャネルは、ＣＨ１及びＣＨ３で構成され、ＣＨ  ｉｎｄｅｘ  １の不連続的なチャネルは、ＣＨ４及びＣＨ６で構成される場合を示す。図１３（ｂ）の例では、一つの不連続的なチャネルが、隣接していないチャネル及び隣接しているチャネルを含む場合を示す。すなわち、図１３（ｂ）の例では、ＣＨ  ｉｎｄｅｘ  ０の不連続的なチャネルは、ＣＨ１及びＣＨ３で構成され、ＣＨ  ｉｎｄｅｘ  １の不連続的なチャネルは、ＣＨ６、ＣＨ８及びＣＨ９で構成される場合を示す。このように、一つの不連続的なチャネルは、隣接していないチャネルを含む一つのチャネルグループを表す単位を意味することができる。また、一つの不連続的なチャネルの単位は、ＳＴＡに割り当てられうる可用チャネルの単位と同じであってもよく、このような観点から、一つの不連続的なチャネルに属した個別チャネルは、ボンディング（ｂｏｎｄｉｎｇ）されるものと表現することもできる。図１３のチャネルインデックス及びチャネル番号は例示に過ぎず、本発明で言及する不連続的なチャネルは、様々な形態で構成可能である。
【０１０６】
前述したように、Ｓｕｂ−ｃｈａｎｎｅｌ  Ｔｒｉｐｌｅで、Ｃｈａｎｎｅｌ  Ｉｎｄｅｘフィールドは、一つの不連続的なチャネルを表し、２個のチャネルが一つの不連続的なチャネルを構成する場合に、２個のチャネルのそれぞれに対するＳｕｂ−ｃｈａｎｎｅｌ  ＴｒｉｐｌｅでＣｈａｎｎｅｌ  Ｉｎｄｅｘ値は同一でなければならない。Ｓｕｂ−ｃｈａｎｎｅｌ  ＴｒｉｐｌｅのＣｈａｎｎｅｌ  Ｉｎｄｅｘ値が異なる場合は、当該Ｓｕｂ−ｃｈａｎｎｅｌ  Ｔｒｉｐｌｅが異なった不連続的なチャネルに対するものであることを意味する。図１３（ａ）の例で、ＣＨ１及びＣＨ３が一つの不連続的なチャネルを構成し、Ｃｈａｎｎｅｌ  Ｉｎｄｅｘ値が０であると、当該Ｓｕｂ−ｃｈａｎｎｅｌ  Ｔｒｉｐｌｅが、チャネルインデックス０のチャネルに対するものであることを意味する。
【０１０７】
次に、Ｓｕｂ−ｃｈａｎｎｅｌ  Ｔｒｉｐｌｅの２番目のオクテットであるＣｈａｎｎｅｌ  Ｎｕｍｂｅｒフィールドは、各チャネル（一つの不連続的なチャネルの構成要素としての最小の単位のチャネル）の番号を示す。また、Ｓｕｂ−ｃｈａｎｎｅｌ  Ｔｒｉｐｌｅで３番目のオクテットであるＭａｘｉｍｕｍ  Ｔｒａｎｓｍｉｔ  Ｐｏｗｅｒ  Ｌｅｖｅｌフィールドは、当該チャネルに対する最大許容伝送電力値を示す。
【０１０８】
表３のように本発明で新しく定義する国家情報要素を使用する場合に、Ｏｐｅｒａｔｉｎｇ  Ｃｌａｓｓ  ０番、Ｃｏｖｅｒａｇｅ  Ｃｌａｓｓ  ０番に該当するチャネルグループに属したチャネルのうち、不連続的なチャネルに対する最大許容伝送電力をシグナリングする場合の、Ｃｈａｎｎｅｌ  Ｐｏｗｅｒ  Ｔｒｉｐｌｅ及びＳｕｂ−ｃｈａｎｎｅｌ  Ｔｒｉｐｌｅの例を、下記の表４に示す。
【０１０９】
【表４】
0005554880.tif 000005
上記の表４では、３オクテットが総５回反復される例を示す。具体的に、表４の１番目の行は、Ｃｈａｎｎｅｌ  Ｐｏｗｅｒ  Ｔｒｉｐｌｅに該当し、２乃至５番目の行は、Ｓｕｂ−ｃｈａｎｎｅｌ  Ｔｒｉｐｌｅが４回含まれる。表４の最後のＳｕｂ−ｃｈａｎｎｅｌ  Ｔｒｉｐｌｅに続いてＯｐｅｒａｔｉｎｇ  Ｔｒｉｐｌｅ及びＳｕｂ−ｂａｎｄ  Ｔｒｉｐｌｅが含まれてもよいが、表４では省略した。
【０１１０】
表４の例で、Ｃｈａｎｎｅｌ  Ｐｏｗｅｒ  Ｔｒｉｐｌｅの１番目のオクテット（Ｃｈａｎｎｅｌ  Ｐｏｗｅｒ  Ｉｄｅｎｔｉｆｉｅｒ）が２０２の値を有するので、当該ＴｒｉｐｌｅがＣｈａｎｎｅｌ  Ｐｏｗｅｒ  Ｔｒｉｐｌｅであることを識別でき、２番目及び３番目のオクテットでＯｐｅｒａｔｉｎｇ  Ｃｌａｓｓ  ０及びＣｏｖｅｒａｇｅ  Ｃｌａｓｓ０  であることを示すことができる。表４では、Ｃｈａｎｎｅｌ  Ｐｏｗｅｒ  Ｔｒｉｐｌｅに続いて４個のＳｕｂ−ｃｈａｎｎｅｌ  Ｔｒｉｐｌｅが含まれ、Ｓｕｂ−ｃｈａｎｎｅｌ  Ｔｒｉｐｌｅを通じて２個の不連続的なチャネルに対して適用される最大許容伝送電力に関する情報がシグナリングされる例を示している。
【０１１１】
表４では、図１３（ａ）と同様に、１番目の不連続的なチャネルは、チャネル１及び３（ＣＨ１及びＣＨ３）で構成され、２番目の不連続的なチャネルは、チャネル４及び６（ＣＨ４及びＣＨ６）で構成される場合に対する、最大許容伝送電力のシグナリングを例示する。すなわち、表４のようにＳｕｂ−ｃｈａｎｎｅｌ  Ｔｒｉｐｌｅが構成される場合に、不連続的なチャネル構成に対する別途のシグナリングがなくても、ＣＨ１及びＣＨ３が一つの不連続的なチャネル（すなわち、ＣＨ  ｉｎｄｅｘ  ０）に属し、ＣＨ４及びＣＨ６が他の不連続的なチャネル（すなわち、ＣＨ  ｉｎｄｅｘ  １）に属するということをシグナリングすることができる。
【０１１２】
表４の例では、ＣＨ  ｉｎｄｅｘ  ０（ＣＨ１及びＣＨ３）に対して一様に１００ｍＷの最大伝送電力がシグナリングされ、ＣＨ  ｉｎｄｅｘ  １（ＣＨ４及びＣＨ６）に対して一様に４０ｍＷの最大伝送電力がシグナリングされる場合を示している。すなわち、不連続的なチャネル（または、チャネルインデックス）別に最大伝送電力をシグナリングすることができる。しかし、これに制限されるものではなく、それぞれのチャネル（または、チャネル番号）別に最大伝送電力がシグナリングされてもよい。すなわち、一つの不連続的なチャネル（または、チャネルインデックス）に属するチャネル（または、チャネル番号）に対して異なる最大伝送電力がシグナリングされてもよい。
【０１１３】
表５には、本発明の他の実施例に係る新しいＣｏｕｎｔｒｙ  Ｆｉｅｌｄ  Ｔｒｉｐｌｅｓフォーマットを示す。
【０１１４】
【表５】
0005554880.tif 000006
表５の例示によれば、Ｃｈａｎｎｅｌ  Ｐｏｗｅｒ  Ｔｒｉｐｌｅの次にＳｕｂ−ｃｈａｎｎｅｌ  Ｔｒｉｐｌｅが追加されることで、不連続的なチャネルに対する最大許容伝送電力をシグナリングすることができる。表５の例は、上記の表３の例と違い、一つの不連続的なチャネルの構成要素である個別チャネルが、異なるＯｐｅｒａｔｉｎｇ  Ｃｌａｓｓに属する場合にも適用可能である。言い換えると、表３の例は、一つのＯｐｅｒａｔｉｎｇ  Ｃｌａｓｓに属したチャネルで不連続的なチャネルを構成される場合に制限されるが、表５の例は、複数個の個別チャネルのＯｐｅｒａｔｉｎｇ  Ｃｌａｓｓが異なっても一つの不連続的なチャネルが構成される場合を支援することができる。
【０１１５】
まず、１番目のオクテット（Ｃｈａｎｎｅｌ  Ｐｏｗｅｒ  Ｉｄｅｎｔｉｆｉｅｒ）の値が特定値（例えば、２０２）である場合に、当該ＴｒｉｐｌｅはＣｈａｎｎｅｌ  Ｐｏｗｅｒ  Ｔｒｉｐｌｅであることが識別できる。Ｃｈａｎｎｅｌ  Ｐｏｗｅｒ  Ｔｒｉｐｌｅの２番目のオクテットであるＮｕｍｂｅｒ  ｏｆ  Ｃｈａｎｎｅｌフィールドは、一つの不連続的なチャネルを構成する個別チャネルの個数を意味する。例えば、Ｎｕｍｂｅｒ  ｏｆ  Ｃｈａｎｎｅｌフィールドの値がＮであると、Ｃｈａｎｎｅｌ  Ｐｏｗｅｒ  Ｔｒｉｐｌｅ以降に、Ｎ個のＳｕｂ−ｃｈａｎｎｅｌ  Ｔｒｉｐｌｅが、一つの不連続的なチャネルに属するＮ個の個別チャネルに対する最大伝送電力値をシグナリングすることができる。Ｃｈａｎｎｅｌ  Ｐｏｗｅｒ  Ｔｒｉｐｌｅの３番目のオクテットであるＣｏｖｅｒａｇｅ  Ｃｌａｓｓフィールドは、当該不連続的なチャネルの無線伝播時間（Ａｉｒ  Ｐｒｏｐａｇａｔｉｏｎ  Ｔｉｍｅ）に対する値のセットを指示するインデックスとして機能する。
【０１１６】
Ｃｈａｎｎｅｌ  Ｐｏｗｅｒ  Ｔｒｉｐｌｅの直後にはＳｕｂ−ｂａｎｄ  Ｔｒｉｐｌｅが来ることはできず、Ｓｕｂ−ｃｈａｎｎｅｌ  ＴｒｉｐｌｅがＮ回反復されうる。Ｎ個のＳｕｂ−ｃｈａｎｎｅｌ  Ｔｒｉｐｌｅを通じて、一つの不連続的なチャネルの構成要素である個別チャネルに対する最大許容伝送電力をシグナリングすることができる。
【０１１７】
表５に示すように、Ｓｕｂ−ｃｈａｎｎｅｌ  Ｔｒｉｐｌｅは、Ｏｐｅｒａｔｉｎｇ  Ｃｌａｓｓ、Ｃｈａｎｎｅｌ  Ｎｕｍｂｅｒ、Ｍａｘｉｍｕｍ  Ｔｒａｎｓｍｉｔ  Ｐｏｗｅｒ  Ｌｅｖｅｌフィールドで構成可能である。Ｓｕｂ−ｃｈａｎｎｅｌ  ＴｒｉｐｌｅのＯｐｅｒａｔｉｎｇ  Ｃｌａｓｓ及びＣｈａｎｎｅｌ  Ｎｕｍｂｅｒフィールドは、不連続的なチャネルの構成要素としての個別チャネルが属したＯｐｅｒａｔｉｎｇ  Ｃｌａｓｓ及び個別チャネルのチャネル番号を表す。Ｓｕｂ−ｃｈａｎｎｅｌ  ＴｒｉｐｌｅのＭａｘｉｍｕｍ  Ｔｒａｎｓｍｉｔ  Ｐｏｗｅｒ  Ｌｅｖｅｌフィールドは、Ｃｈａｎｎｅｌ  Ｎｕｍｂｅｒに該当する個別チャネルに適用される最大許容伝送電力を表す。ここで、Ｍａｘｉｍｕｍ  Ｔｒａｎｓｍｉｔ  Ｐｏｗｅｒ  Ｌｅｖｅｌフィールドの値は、個別チャネル別にシグナリング可能であるため、一つの不連続的なチャネルに属したＮ個の個別チャネルに対して同一の最大伝送電力が与えられてもよく、異なる最大伝送電力が与えられてもよい。
【０１１８】
表５の例において、複数個の不連続的なチャネルが存在する場合を仮定することができる。例えば、第１の不連続的なチャネルは、Ｎ個の個別チャネルで構成でき、第２の不連続的なチャネルは、Ｋ個の個別チャネルで構成できる。この場合、Ｃｈａｎｎｅｌ  Ｐｏｗｅｒ  ＴｒｉｐｌｅのＮｕｍｂｅｒ  ｏｆ  Ｃｈａｎｎｅｌフィールドの値（例えば、Ｎ個）に該当するＳｕｂ−ｃｈａｎｎｅｌ  Ｔｒｉｐｌｅが、一つの不連続的なチャネル（第１の不連続的なチャネル）に属した個別チャネルに対する最大許容伝送電力を示すことができる。また、Ｎ個のＳｕｂ−ｃｈａｎｎｅｌ  Ｔｒｉｐｌｅに続いて存在するＳｕｂ−ｃｈａｎｎｅｌ  Ｔｒｉｐｌｅは、他の不連続的なチャネル（第２の不連続的なチャネル）に対する最大許容伝送電力を示すことができる。または、一つのＣｈａｎｎｅｌ  Ｐｏｗｅｒ  Ｔｒｉｐｌｅ（Ｎｕｍｂｅｒ  ｏｆ  Ｃｈａｎｎｅｌフィールドの値＝Ｎ）及び後続Ｎ個のＳｕｂ−ｃｈａｎｎｅｌ  Ｔｒｉｐｌｅは、第１の不連続的なチャネルに属した個別チャネルの最大許容伝送電力を示し、これに続いて、新しいＣｈａｎｎｅｌ  Ｐｏｗｅｒ  Ｔｒｉｐｌｅ（Ｎｕｍｂｅｒ  ｏｆ  Ｃｈａｎｎｅｌフィールドの値＝Ｋ）及び後続Ｋ個のＳｕｂ−ｃｈａｎｎｅｌ  Ｔｒｉｐｌｅが含まれることで、第２の不連続的なチャネルに属した個別チャネルの最大許容伝送電力を示すこともできる。
【０１１９】
表６には、本発明のさらに他の実施例に係る新しいＣｏｕｎｔｒｙ  Ｆｉｅｌｄ  Ｔｒｉｐｌｅｓフォーマットを示す。
【０１２０】
【表６】
0005554880.tif 000007
表６の例では、表３の例と同様に、Ｃｈａｎｎｅｌ  Ｐｏｗｅｒ  Ｔｒｉｐｌｅ及びＳｕｂ−ｃｈａｎｎｅｌ  Ｔｒｉｐｌｅを新しく定義する代わりに、既存のＯｐｅｒａｔｉｎｇ  Ｔｒｉｐｌｅ及びＳｕｂ−ｂａｎｄ  Ｔｒｉｐｌｅ（表１参照）を変形することで、不連続的なチャネルに対する最大許容伝送電力値をシグナリングする方案を示す。言い換えると、表６の例は、表３の例示においてＣｈａｎｎｅｌ  Ｉｎｄｅｘ値を２０２乃至２５５までの範囲（ｒａｎｇｅ）の中から選択する方式であるといえる。
【０１２１】
具体的に、表６の例で、Ｏｐｅｒａｔｉｎｇ  Ｔｒｉｐｌｅを、既存のＣｏｕｎｔｒｙ  Ｆｉｅｌｄ  ＴｒｉｐｌｅｓのＯｐｅｒａｔｉｎｇ  Ｔｒｉｐｌｅ（表１参照）と同様に構成することができる。すなわち、Ｏｐｅｒａｔｉｎｇ  Ｔｒｉｐｌｅを、Ｏｐｅｒａｔｉｎｇ  Ｅｘｔｅｎｓｉｏｎ  Ｉｄｅｎｔｉｆｉｅｒ（２０１の値を有する）、Ｏｐｅｒａｔｉｎｇ  Ｃｌａｓｓ及びＣｏｖｅｒａｇｅ  Ｃｌａｓｓフィールドで構成することができる。
【０１２２】
Ｏｐｅｒａｔｉｎｇ  Ｔｒｉｐｌｅに続いてＳｕｂ−ｂａｎｄ  Ｔｒｉｐｌｅが含まれ、これを通じて個別チャネル別に最大許容伝送電力をシグナリングすることができる。Ｓｕｂ−ｂａｎｄ  Ｔｒｉｐｌｅによって最大伝送電力がシグナリングされる個別チャネルが属したＯｐｅｒａｔｉｎｇ  Ｃｌａｓｓ及び個別チャネルのＣｏｖｅｒａｇｅ  Ｃｌａｓｓ情報は、Ｓｕｂ−ｂａｎｄ  Ｔｒｉｐｌｅ以前のＯｐｅｒａｔｉｎｇ  Ｔｒｉｐｌｅによって定められる。
【０１２３】
ここで、Ｓｕｂ−ｂａｎｄ  Ｔｒｉｐｌｅが連続的なチャネルに対するものか、不連続的なチャネルに対するものかを、当該Ｔｒｉｐｌｅの１番目のオクテットの値がどの範囲（ｒａｎｇｅ）に属しているかによって決定することができる。例えば、Ｓｕｂ−ｂａｎｄ  Ｔｒｉｐｌｅの１番目のオクテットの値が１乃至２００の値を有すると、当該Ｓｕｂ−ｂａｎｄ  Ｔｒｉｐｌｅが連続的なチャネルに対するものであることを示し、２０２乃至２５５の値である場合は、不連続的なチャネルに対するものであることを示すと定めることができる。すなわち、Ｃｏｕｎｔｒｙ  Ｆｉｅｌｄ  Ｔｒｉｐｌｅの１番目のオクテットの値が２０１よりも小さい正の整数の値を有すると、既存のＳｕｂ−ｂａｎｄ  Ｔｒｉｐｌｅと同様に、連続的なチャネルの開始点に関する情報を示すＦｉｒｓｔ  Ｃｈａｎｎｅｌ  Ｎｕｍｂｅｒフィールドに該当し、Ｃｏｕｎｔｒｙ  Ｆｉｅｌｄ  Ｔｒｉｐｌｅの１番目のオクテットの値が２０１の場合は、当該ＴｒｉｐｌｅがＯｐｅｒａｔｉｎｇ  Ｔｒｉｐｌｅに該当することを示し、Ｃｏｕｎｔｒｙ  Ｆｉｅｌｄ  Ｔｒｉｐｌｅの１番目のオクテットの値が２０２以上２５５以下の正の整数の値を有すると、表６の例と同様に、Ｃｈａｎｎｅｌ  Ｐｏｗｅｒ  Ｉｄｅｎｔｉｆｉｅｒフィールドに該当する。すなわち、連続的なチャネルなのか、あるいは不連続的なチャネルなのかは、Ｓｕｂ−ｂａｎｄ  Ｔｒｉｐｌｅの１番目のオクテット（Ｃｈａｎｎｅｌ  Ｐｏｗｅｒ  Ｉｄｅｎｔｉｆｉｅｒ）の値から識別できる。
【０１２４】
また、Ｓｕｂ−ｂａｎｄ  ＴｒｉｐｌｅのＣｈａｎｎｅｌ  Ｐｏｗｅｒ  Ｉｄｅｎｔｉｆｉｅｒフィールドが２０２乃至２５５の値を有する場合（すなわち、不連続的なチャネルに対するＳｕｂ−ｂａｎｄ  Ｔｒｉｐｌｅである場合）に、Ｓｕｂ−ｂａｎｄ  Ｔｒｉｐｌｅは、Ｃｈａｎｎｅｌ  Ｐｏｗｅｒ  Ｉｄｅｎｔｉｆｉｅｒ、Ｃｈａｎｎｅｌ  Ｎｕｍｂｅｒ及びＭａｘｉｍｕｍ  Ｔｒａｎｓｍｉｔ  Ｐｏｗｅｒ  Ｌｅｖｅｌフィールドで構成することができる。
【０１２５】
Ｓｕｂ−ｂａｎｄ  ＴｒｉｐｌｅのＣｈａｎｎｅｌ  Ｐｏｗｅｒ  Ｉｄｅｎｔｉｆｉｅｒフィールドは、表３の例におけるＳｕｂ−ｃｈａｎｎｅｌ  ＴｒｉｐｌｅのＣｈａｎｎｅｌ  Ｉｎｄｅｘフィールドと類似の用途に用いることができる。すなわち、一つの不連続的なチャネルに対して一つのＣｈａｎｎｅｌ  Ｐｏｗｅｒ  Ｉｄｅｎｔｉｆｉｅｒの値が与えられる。言い換えると、同一のＣｈａｎｎｅｌ  Ｐｏｗｅｒ  Ｉｄｅｎｔｉｆｉｅｒフィールドの値を有するＳｕｂ−ｂａｎｄ  Ｔｒｉｐｌｅは、同一の一つの不連続的なチャネルの構成要素である個別チャネルに対するものである。
【０１２６】
Ｓｕｂ−ｂａｎｄ  ＴｒｉｐｌｅのＣｈａｎｎｅｌ  Ｎｕｍｂｅｒフィールドは、個別チャネルのチャネル番号を意味する。ここで、個別チャネルは、不連続的なチャネルの構成要素としての最小の単位を意味する。また、Ｓｕｂ−ｂａｎｄ  ＴｒｉｐｌｅのＭａｘｉｍｕｍ  Ｔｒａｎｓｍｉｔ  Ｐｏｗｅｒ  Ｌｅｖｅｌフィールドは、不連続的なチャネルの最大許容伝送電力を示す。不連続的なチャネルを構成する個別チャネルのそれぞれの最大許容伝送電力は一様に設定されてもよく、または、性能向上のために異なるように設定されもてもよい。
【０１２７】
例えば、図１３（ａ）の例で、ＣＨ  ｉｎｄｅｘ  ０と表現された一つの不連続的なチャネルに対するＣｈａｎｎｅｌ  Ｐｏｗｅｒ  Ｉｄｅｎｔｉｆｉｅｒの値が２０２に該当すると仮定する。このような場合、表６の例で、１番目のＳｕｂ−ｂａｎｄ  Ｔｒｉｐｌｅの３個のオクテットは、｛２０２、ＣＨ１、１００ｍｗ｝に該当する値を有することができ、２番目のＳｕｂ−ｂａｎｄ  Ｔｒｉｐｌｅの３個のオクテットは、｛２０２、ＣＨ３、４０ｍｗ｝に該当する値を有することができる。
【０１２８】
表７には、本発明のさらに他の実施例に係る新しいＣｏｕｎｔｒｙ  Ｆｉｅｌｄ  Ｔｒｉｐｌｅｓフォーマットを示す。
【０１２９】
【表７】
0005554880.tif 000008
表７の例は、上記の表６の例示と違い、一つの不連続的なチャネルの構成要素である個別チャネルが、異なったＯｐｅｒａｔｉｎｇ  Ｃｌａｓｓに属する場合にも適用することができる。言い換えると、表６の例は、一つのＯｐｅｒａｔｉｎｇ  Ｃｌａｓｓに属したチャネルで不連続的なチャネルが構成される場合に制限されるが、表７の例は、複数個の個別チャネルのＯｐｅｒａｔｉｎｇ  Ｃｌａｓｓが異なっても、一つの不連続的なチャネルが構成される場合を支援することができる。
【０１３０】
一つの不連続的なチャネルに含まれる個別チャネルが属したＯｐｅｒａｔｉｎｇ  Ｃｌａｓｓ値が異なる場合に、表７の例と同様に、Ｏｐｅｒａｔｉｎｇ  Ｔｒｉｐｌｅ及びＳｕｂ−ｂａｎｄ  Ｔｒｉｐｌｅが反復されうる。
【０１３１】
既存のＯｐｅｒａｔｉｎｇ  Ｔｒｉｐｌｅの１番目のオクテット（Ｏｐｅｒａｔｉｎｇ  Ｅｘｔｅｎｓｉｏｎ  Ｉｄｅｎｔｉｆｉｅｒ）は２０１の値を有することによって、当該ＴｒｉｐｌｅがＯｐｅｒａｔｉｎｇ  Ｔｒｉｐｌｅであることを識別するのとは違い、表７の例のように修正されたＯｐｅｒａｔｉｎｇ  Ｔｒｉｐｌｅの１番目のオクテットは、２０２乃至２５５の値を有することができる。この場合、Ｏｐｅｒａｔｉｎｇ  Ｔｒｉｐｌｅが不連続的なチャネルに対するものである旨を示し、Ｏｐｅｒａｔｉｎｇ  Ｔｒｉｐｌｅの１番目のオクテットは、表６のＳｕｂ−ｂａｎｄ  ＴｒｉｐｌｅのＣｈａｎｎｅｌ  Ｐｏｗｅｒ  Ｉｄｅｎｔｉｆｉｅｒと同一の意味を有する。すなわち、Ｏｐｅｒａｔｉｎｇ  Ｔｒｉｐｌｅの１番目のオクテットが２０２乃至２５５の値を有すると（すなわち、１番目のオクテットがＣｈａｎｎｅｌ  Ｐｏｗｅｒ  Ｉｄｅｎｔｉｆｉｅｒであると）、当該Ｏｐｅｒａｔｉｎｇ  ＴｒｉｐｌｅのＯｐｅｒａｔｉｎｇ  Ｃｌａｓｓ及びＣｏｖｅｒａｇｅ  Ｃｌａｓｓは、Ｃｈａｎｎｅｌ  Ｐｏｗｅｒ  Ｉｄｅｎｔｉｆｉｅｒの値に該当する不連続的なチャネルに適用される旨をシグナリングすることができる。
【０１３２】
例えば、図１３（ａ）の１番目の不連続的なチャネル（ＣＨ  ｉｎｄｅｘ  ０）は、Ｃｈａｎｎｅｌ  Ｐｏｗｅｒ  Ｉｄｅｎｔｉｆｉｅｒの値２０２に該当し、２番目の不連続的なチャネル（ＣＨ  ｉｎｄｅｘ  １）は、Ｃｈａｎｎｅｌ  Ｐｏｗｅｒ  Ｉｄｅｎｔｉｆｉｅｒの値２０３に該当すると仮定する。また、１番目の不連続的なチャネルのＣＨ１は、Ｏｐｅｒａｔｉｎｇ  Ｃｌａｓｓ  ０、Ｃｏｖｅｒａｇｅ  Ｃｌａｓｓ  ０に該当し、ＣＨ３は、Ｏｐｅｒａｔｉｎｇ  Ｃｌａｓｓ  ３、Ｃｏｖｅｒａｇｅ  Ｃｌａｓｓ  １に該当し、２番目の不連続的なチャネルのＣＨ４は、Ｏｐｅｒａｔｉｎｇ  Ｃｌａｓｓ  ３、Ｃｏｖｅｒａｇｅ  Ｃｌａｓｓ  １に該当し、ＣＨ６は、Ｏｐｅｒａｔｉｎｇ  Ｃｌａｓｓ  １、Ｃｏｖｅｒａｇｅ  Ｃｌａｓｓ  ２に該当すると仮定する。このような場合、１番目の不連続的なチャネルのＣＨ１及びＣＨ３には１００ｍＷの最大許容伝送電力がシグナリングされ、２番目の不連続的なチャネルのＣＨ４及びＣＨ６には４０ｍＷの最大許容伝送電力がシグナリングされるとすれば、表７のＯｐｅｒａｔｉｎｇ  Ｔｒｉｐｌｅ及びＳｕｂ−ｂａｎｄ  Ｔｒｉｐｌｅは、次の表８のような値を有することができる。
【０１３３】
【表８】
0005554880.tif 000009
表１乃至表８を参照して説明した本発明の様々な例は、国家情報要素（図１１参照）を通じて最大許容伝送電力をシグナリングする時に、不連続的なチャネル（または、不連続的なチャネルに属した個別チャネル）に対する最大許容伝送電力をシグナリングできるＣｏｕｎｔｒｙ  Ｆｉｅｌｄ  Ｔｒｉｐｌｅｔｓフォーマットの例について説明した。しかし、本発明の原理が、国家情報要素を用いることに制限されるわけではない。すなわち、本発明の原理は、新しい形態の情報要素（ｉｎｆｏｒｍａｔｉｏｎ  ｅｌｅｍｅｎｔ）の方式で適用されてもよい。
【０１３４】
新しい形態の情報要素を、例えば、チャネル電力情報要素（Ｃｈａｎｎｅｌ  Ｐｏｗｅｒ  Ｉｎｆｏｒｍａｔｉｏｎ  Ｅｌｅｍｅｎｔ）と称することができる。チャネル電力情報要素は、基本的に、チャネルグループ（例えば、不連続的なチャネル）に属した個別チャネルに対するＣｈａｎｎｅｌ  Ｎｕｍｂｅｒフィールド、Ｍａｘｉｍｕｍ  Ｔｒａｎｓｍｉｔ  Ｐｏｗｅｒ  Ｌｅｖｅｌフィールドを含むことができる。これに加えて、不連続的なチャネル（または、不連続的なチャネルに含まれる個別チャネル）が属するＯｐｅｒａｔｉｎｇ  Ｃｌａｓｓフィールド及び／またはＣｏｖｅｒａｇｅ  Ｃｌａｓｓフィールドを含むことができる。これに加えて、不連続的なチャネルに対する識別子フィールド（例えば、表３の例でＣｈａｎｎｅｌ  Ｉｎｄｅｘフィールド、表６または表７の例でＣｈａｎｎｅｌ  Ｐｏｗｅｒ  Ｉｄｅｎｔｉｆｉｅｒフィールド）を含むことができる。または、不連続的なチャネルに対する識別子フィールドが含まれなくても、不連続的なチャネルに属した個別チャネルの個数を表すフィールド（例えば、表５の例示でＮｕｍｂｅｒ  ｏｆ  Ｃｈａｎｎｅｌフィールド）を含むこともできる。
【０１３５】
図１４は、本発明が適用されるチャネル電力情報要素のフォーマットを例示する図である。図１４の例で、表３や表５の例示におけるＣｈａｎｎｅｌ  Ｐｏｗｅｒ  Ｉｄｅｎｔｉｆｉｅｒ（すなわち、Ｃｈａｎｎｅｌ  Ｐｏｗｅｒ  Ｔｒｉｐｌｅであることを識別できる値を有するフィールド）は含まれる必要がなく、場合によっては、Ｃｏｖｅｒａｇｅ  Ｃｌａｓｓフィールドも含まれなくてもよい。図１４の例で、共通的に、Ｅｌｅｍｅｎｔ  ＩＤフィールドは、当該情報要素がチャネル電力情報要素であることを示す値を有することができ、Ｌｅｎｇｔｈフィールドは、後続するフィールドの長さを示す値を有することができる。
【０１３６】
図１４（ａ）は、不連続的なチャネルの識別子フィールド（例えば、Ｃｈａｎｎｅｌ  Ｉｎｄｅｘフィールド）を含む例である。例えば、Ｃｈａｎｎｅｌ  Ｉｎｄｅｘフィールド、Ｏｐｅｒａｔｉｎｇ  Ｃｌａｓｓフィールド、Ｃｈａｎｎｅｌ  Ｎｕｍｂｅｒフィールド及びＭａｘｉｍｕｍ  Ｔｒａｎｓｍｉｔ  Ｐｏｗｅｒ  Ｌｅｖｅｌフィールドの４個のフィールドは、最大伝送電力がシグナリングされる個別チャネルの個数だけ反復されうる。Ｃｈａｎｎｅｌ  Ｉｎｄｅｘフィールドは、個別チャネルが属した不連続的なチャネルの識別子の値を有し、Ｏｐｅｒａｔｉｎｇ  Ｃｌａｓｓフィールドは、個別チャネルが属したＯｐｅｒａｔｉｎｇ  Ｃｌａｓｓ値を有し、Ｃｈａｎｎｅｌ  Ｎｕｍｂｅｒフィールドは、個別チャネルを識別するチャネル番号の値を有し、Ｍａｘｉｍｕｍ  Ｔｒａｎｓｍｉｔ  Ｐｏｗｅｒ  Ｌｅｖｅｌフィールドは、当該個別フィールドに適用される最大伝送電力値を有することができる。図１４（ａ）のチャネル電力情報要素を用いて、どの個別チャネルがどの不連続的なチャネルに属するかを明確に示すことができる。
【０１３７】
図１４（ｂ）は、個別チャネルの個数フィールド（例えば、Ｎｕｍｂｅｒ  ｏｆ  Ｃｈａｎｎｅｌフィールド）を含む例である。図１４（ｂ）の例で、Ｏｐｅｒａｔｉｎｇ  Ｃｌａｓｓフィールド、Ｃｈａｎｎｅｌ  Ｎｕｍｂｅｒフィールド及びＭａｘｉｍｕｍ  Ｔｒａｎｓｍｉｔ  Ｐｏｗｅｒ  Ｌｅｖｅｌフィールドの３個のフィールドが、最大伝送電力がシグナリングされるべき個別チャネルの個数だけ反復されうる。
【０１３８】
図１４（ｂ）の例で、Ｎｕｍｂｅｒ  ｏｆ  Ｃｈａｎｎｅｌフィールドは、一つの不連続的なチャネルを構成する個別チャネルの個数に該当してもよく、または、最大伝送電力がシグナリングされる個別チャネルの個数に該当してもよい。前者の場合は、複数個の不連続的なチャネルに対するチャネル電力情報要素を構成するためには、図１４（ｃ）のように追加的に反復される形態を有することができる。一方、後者の場合は、最大伝送電力のシグナリングされる個別チャネルが一つの不連続的なチャネルを構成するかは明確に指示されないが、最小のオーバーヘッドで個別チャネル別にそれぞれの最大伝送電力をシグナリングすることができる。
【０１３９】
図１４（ｃ）の例では、Ｎｕｍｂｅｒ  ｏｆ  Ｃｈａｎｎｅｌフィールドが、一つの不連続的なチャネルを構成する個別チャネルの個数を表す場合に、複数個の不連続的なチャネルに対する最大伝送電力をシグナリングするチャネル電力情報要素のフォーマットを示している。まず、Ｅｌｅｍｅｎｔ  ＩＤ及びＬｅｎｇｔｈフィールドの後に、第１の不連続的なチャネルに属した個別チャネルの個数を表すＮｕｍｂｅｒ  ｏｆ  Ｃｈａｎｎｅｌフィールドが含まれ、続いて、第１の不連続的なチャネルに対するＮｕｍｂｅｒ  ｏｆ  Ｃｈａｎｎｅｌフィールドの値だけＯｐｅｒａｔｉｎｇ  Ｃｌａｓｓフィールド、Ｃｈａｎｎｅｌ  Ｎｕｍｂｅｒフィールド及びＭａｘｉｍｕｍ  Ｔｒａｎｓｍｉｔ  Ｐｏｗｅｒ  Ｌｅｖｅｌフィールドが反復されうる。その次に、第２の不連続的なチャネルに対するＮｕｍｂｅｒ  ｏｆ  Ｃｈａｎｎｅｌフィールドが含まれ、続いて第２の不連続的なチャネルに対するＮｕｍｂｅｒ  ｏｆ  Ｃｈａｎｎｅｌフィールドの値だけＯｐｅｒａｔｉｎｇ  Ｃｌａｓｓフィールド、Ｃｈａｎｎｅｌ  Ｎｕｍｂｅｒフィールド及びＭａｘｉｍｕｍ  Ｔｒａｎｓｍｉｔ  Ｐｏｗｅｒ  Ｌｅｖｅｌフィールドが反復されうる。
【０１４０】
図１５は、本発明の一例に係る最大伝送電力情報の送受信方法を示す図である。
【０１４１】
段階Ｓ１５１０で、ＡＰは、Ｏｐｅｒａｔｉｎｇ  Ｃｌａｓｓフィールド、Ｃｈａｎｎｅｌ  Ｎｕｍｂｅｒフィールド及びＭａｘｉｍｕｍ  Ｔｒａｎｓｍｉｔ  Ｐｏｗｅｒ  Ｌｅｖｅｌフィールドを含むフレームを生成することができる。このフレームは、不連続的なチャネル（すなわち、周波数領域で不連続的な個別チャネルを含むチャネルグループ）に対して個別チャネル別に最大伝送電力レベルをシグナリングするのに利用可能である。さらに、チャネルグループ識別子フィールド（表３の例でＣｈａｎｎｅｌ  Ｉｎｄｅｘフィールド、表６または表７の例でＣｈａｎｎｅｌ  Ｐｏｗｅｒ  Ｉｄｅｎｔｉｆｉｅｒフィールド）が該フレームに含まれてもよい。また、チャネルグループに含まれるチャネルの個数に対するフィールドが含まれてもよい。
【０１４２】
段階Ｓ１５２０で、ＡＰは、段階Ｓ１５１０で生成されたフレームをＳＴＡに伝送でき、段階Ｓ１５３０で、ＳＴＡは、ＡＰから当該フレームを受信することができる。
【０１４３】
段階Ｓ１５４０で、ＳＴＡは、ＡＰから受信したフレームに含まれた情報を用いて特定チャネル上で該チャネルに対して指示された最大許容伝送電力によって通信を行うことができる。これにより、ＳＴＡは、周辺の優先的ユーザーに対する干渉を回避しながらホワイトスペースでの通信を円滑に行うことができる。
【０１４４】
図１５と関連して説明した本発明の一例に係る最大伝送電力情報の送受信方法において、前述した本発明の様々な実施例で説明した事項が独立して適用されてもよく、または、２以上の実施例が同時に適用されるように具現されてもよい。ここで、重複する内容は明確性のために説明を省略する。
【０１４５】
図１６は、本発明の一実施例に係る無線装置の構成を示すブロック図である。
【０１４６】
ＡＰ  ７００は、プロセッサ７１０、メモリー７２０、送受信器７３０を備えることができる。ＳＴＡ  ７５０は、プロセッサ７６０、メモリー７７０、送受信器７８０を備えることができる。送受信器７３０及び７８０は無線信号を送信／受信することができ、例えば、ＩＥＥＥ  ８０２システムに基づく物理層を具現することができる。プロセッサ７１０及び７６０は、送受信器７３０及び７６０と接続して、ＩＥＥＥ  ８０２システムに基づく物理層及び／またはＭＡＣ層を具現することができる。プロセッサ７１０は、前述した本発明の様々な実施例に係る最大許容伝送電力情報を含む情報要素（または、フレーム）を生成及び伝送するＡＰの動作を制御することができる。一方、プロセッサ７６０は、前述した本発明の様々な実施例に係る最大許容伝送電力情報を含む情報要素（またはフレーム）を受信し、該情報要素（またはフレーム）で指示する値に基づいて特定チャネル上で指示された最大許容伝送電力レベルによって通信を行うようにＳＴＡを制御することができる。無線通信を送受信器７３０及び７８０を介して行うように構成することができる。また、前述した本発明の様々な実施例に係るＡＰ及びＳＴＡの動作を具現するモジュールがメモリー７２０及び７７０に格納され、プロセッサ７１０及び７６０により実行されうる。メモリー７２０及び７７０は、プロセッサ７１０及び７６０の内部に含まれてもよく、または、プロセッサ７１０及び７６０の外部に設けられて、プロセッサ７１０及び７６０と公知の手段により接続されてもよい。
【０１４７】
このようなＡＰ装置及びＳＴＡ装置の具体的な構成は、前述した本発明の様々な実施例で説明した事項が独立して適用されたり、または２以上の実施例が同時に適用されるように具現することができる。ここで、重複する内容は、明確性のために説明を省略する。
【０１４８】
上述した本発明の実施例は様々な手段を通じて具現可能である。例えば、本発明の実施例は、ハードウェア、ファームウェア（ｆｉｒｍｗａｒｅ）、ソフトウェアまたはそれらの結合などにより具現可能である。
【０１４９】
ハードウェアによる具現の場合に、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１５０】
ファームウェアやソフトウェアによる具現の場合に、本発明の一実施例に係る方法は、以上で説明された機能または動作を行うモジュール、手順、関数などの形態とすることができる。ソフトウェアコードは、メモリユニットに記憶されて、プロセッサにより駆動されるようにすることができる。メモリユニットは、プロセッサの内部または外部に設けられて、公知の様々な手段によりプロセッサとデータを授受することができる。
【０１５１】
以上開示された本発明の好ましい実施例についての詳細な説明は、当業者が本発明を具現して実施できるように提供された。以上では本発明の好適な実施例を参照して説明したが、当該技術の分野における熟練した当業者には、添付の特許請求の範囲に記載された本発明の思想及び領域から逸脱しない範囲内で本発明を様々に修正及び変更できるということが理解されるであろう。したがって、本発明は、ここに開示されている実施形態に制限されるものではなく、ここに開示されている原理及び新規な特徴と一致する最も広い範囲を与えるためのものである。
【産業上の利用可能性】
【０１５２】
上述したような本発明の様々な実施形態は、ＩＥＥＥ  ８０２．１１システムを中心に説明したが、様々な移動通信システムに同一の方式で適用することができる。
【図１】
0005554880.tif 000010
【図２】
0005554880.tif 000011
【図３】
0005554880.tif 000012
【図４】
0005554880.tif 000013
【図５】
0005554880.tif 000014
【図６】
0005554880.tif 000015
【図７】
0005554880.tif 000016
【図８】
0005554880.tif 000017
【図９】
0005554880.tif 000018
【図１０】
0005554880.tif 000019
【図１１】
0005554880.tif 000020
【図１２】
0005554880.tif 000021
【図１３（ａ）】
0005554880.tif 000022
【図１３（ｂ）】
0005554880.tif 000023
【図１４】
0005554880.tif 000024
【図１５】
0005554880.tif 000025
【図１６】
0005554880.tif 000026